(57)【要約】【課題】コピー機に代表される印刷機を利用した広告システムに係り、広告付き用紙を用いて実施する広告活動の効率を向上させることを課題とする。【解決手段】広告制御サーバ１０１は、コピー機１０２毎に各広告に対する適応値を算出して、その適応度により選択した広告付き用紙の設置を指示する用紙設置指示書をコピー機１０２に送信する。また、コピー機１０２に同一用紙サイズの給紙トレイが複数有る場合に、それぞれのトレイに設置されている用紙の広告が、各ユーザに適応する値を個人情報を利用して算出し、より適応する広告付き用紙のトレイを優先的に選択するように制御する。【選択図】図１
2008225923.tif 000002
【特許請求の範囲】
【請求項１】
給紙するトレイを複数有する印刷機と、当該印刷機とネットワークを介して接続する広告制御サーバからなる広告システムであって、
前記広告制御サーバは、以下の（１）から（５）の要素を有し、
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定部
（４）ユーザ毎に、当該ユーザのＩＤに優先順位付けられたトレイＩＤ群を対応付けるトレイ優先順位テーブルを記憶するサーバ側のトレイ優先順位テーブル記憶部
（５）トレイ優先順位テーブルを、前記印刷機に送信するトレイ優先順位テーブル送信部
前記印刷機は、以下の（イ）から（ト）の要素を有することを特徴とする広告システム
（イ）トレイ優先順位テーブルを、前記広告制御サーバから受信するトレイ優先順位テーブル受信部
（ロ）受信したトレイ優先順位テーブルを記憶する印刷機側のトレイ優先順位テーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）トレイ優先順位テーブルで前記ユーザＩＤに対応付けられている優先順位付けられたトレイＩＤ群に従って、用紙が有ると検知したトレイ群のうち最も優先されるトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【請求項２】
請求項１に記載の広告システムであって、
前記広告制御サーバは、更に、広告毎に、個人情報に基づいて当該広告に対するユーザの適応の程度を示すユーザ適応値を算出するユーザ適応評価プログラムを記憶するユーザ適応評価プログラム群記憶部を有し、
前記トレイ優先順位判定部は、当該個人情報を用いて当該広告ＩＤに対応するユーザ適応評価プログラムに前記ユーザ適応値を算出させることを特徴とする広告システム。
【請求項３】
請求項１に記載の広告システムであって、
前記広告制御サーバは、更に、広告毎に、個人情報に対する評価条件に従って当該広告に対するユーザの適応の程度を示すユーザ適応値を導くユーザ適応評価式を記憶する広告管理テーブルと、
個人情報とユーザ適応評価式に基づいてユーザ適応値を算出するユーザ適応評価式演算部を有し、
前記トレイ優先順位判定部は、当該個人情報を用いて当該広告ＩＤに対応するユーザ適応評価式に従ってユーザ適応評価式演算部に前記ユーザ適応値を算出させることを特徴とする広告システム。
【請求項４】
請求項１に記載の広告システムであって、
前記広告制御サーバは、更に、広告毎に、個人情報を入力データとし、当該広告に対するユーザの適応の程度を示すユーザ適応値を出力データとする教師データを用いて学習型人工知能の学習処理により得たユーザ適応評価用学習データを記憶するユーザ適応評価用学習データ群記憶部と、
個人情報を入力し、ユーザ適応評価用学習データを用いて学習型人工知能の演算処理を行ない、ユーザ適応値を算出する学習型人工知能演算部を有し、
前記トレイ優先順位判定部は、当該個人情報と当該広告ＩＤに対応するユーザ適応評価用学習データを用いて学習型人工知能演算部に前記ユーザ適応値を算出させることを特徴とする広告システム。
【請求項５】
請求項１に記載の広告システムであって、
前記用紙設定テーブルは、更に前記トレイ毎に、当該トレイに設置する用紙のサイズを記憶し、
前記トレイ優先順位判定部は、ユーザ毎に、同一の用紙サイズに対応する各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを当該用紙サイズと対応付けて生成し、
前記サーバ側のトレイ優先順位テーブル記憶部は、前記トレイ優先順位テーブルを当該用紙サイズと対応付けて記憶し、
前記印刷機側のトレイ優先順位テーブル記憶部は、用紙サイズと対応付けてトレイ優先順位テーブルを記憶し、
前記給紙トレイ検知部は、更に、トレイ毎に、当該トレイに設置される用紙のサイズを検知し、
前記給紙トレイ判定部は、印刷するサイズと同じ用紙サイズのトレイを特定し、特定したトレイが複数ある場合に、最も優先されるトレイを給紙トレイと判定することを特徴とする広告システム。
【請求項６】
給紙するトレイを複数有する印刷機とネットワークを介して接続する広告制御サーバであって、以下の要素を有することを特徴とする広告制御サーバ
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定部
（４）ユーザ毎に、当該ユーザのＩＤに優先順位付けられたトレイＩＤ群を対応付けるトレイ優先順位テーブルを記憶するトレイ優先順位テーブル記憶部
（５）トレイ優先順位テーブルを、前記印刷機に送信するトレイ優先順位テーブル送信部。
【請求項７】
給紙するトレイを複数有し、ネットワークを介して広告制御サーバと接続する印刷機であって、以下の要素を有することを特徴とする印刷機
（イ）ユーザ毎に、当該ユーザのＩＤに優先順位付けられた広告ＩＤ群を対応付けるトレイ優先順位テーブルを、前記広告制御サーバから受信するトレイ優先順位テーブル受信部
（ロ）受信したトレイ優先順位テーブルを記憶するトレイ優先順位テーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）トレイ優先順位テーブルで前記ユーザＩＤに対応付けられている優先順位付けられたトレイＩＤ群に従って、用紙が有ると検知したトレイ群のうち最も優先されるトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【請求項８】
給紙するトレイを複数有する印刷機とネットワークを介して接続し、
ユーザ毎に、当該ユーザの個人情報を記憶する個人情報管理テーブルと、
前記印刷機に含まれるトレイ毎に、当該トレイへの設置を指示される広告付き用紙の広告ＩＤを記憶する用紙設定テーブルを有する広告制御サーバとなるコンピュータに、以下の手順を実行させるためのプログラム
（１）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定手順
（２）ユーザ毎に、当該ユーザのＩＤに優先順位付けられたトレイＩＤ群を対応付けるトレイ優先順位テーブルを記憶するトレイ優先順位テーブル記憶手順
（３）ユーザ毎に、当該ユーザのＩＤに優先順位付けられたトレイＩＤ群を対応付けるトレイ優先順位テーブルを、前記印刷機に送信するトレイ優先順位テーブル送信手順。
【請求項９】
給紙するトレイを複数有する印刷機と、当該印刷機とネットワークを介して接続する広告制御サーバからなる広告システムであって、
前記広告制御サーバは、以下の（１）から（５）の要素を有し、
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定部
（４）ユーザ毎に、当該ユーザのＩＤに優先トレイＩＤを対応付ける優先トレイテーブルを記憶するサーバ側の優先トレイテーブル記憶部
（５）優先トレイテーブルを、前記印刷機に送信する優先トレイテーブル送信部
前記印刷機は、以下の（イ）から（ト）の要素を有することを特徴とする広告システム
（イ）優先トレイテーブルを、前記広告制御サーバから受信する優先トレイテーブル受信部
（ロ）受信した優先トレイテーブルを記憶する印刷機側の優先トレイテーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）優先トレイテーブルで前記ユーザＩＤに対応付けられている優先トレイＩＤのトレイに用紙が有ると検知した場合には、優先トレイＩＤにより特定されるトレイを給紙トレイと判定し、同優先トレイＩＤのトレイに用紙が無いと検知した場合には、優先トレイ以外のトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【請求項１０】
請求項９に記載の広告システムであって、
前記広告制御サーバは、更に、広告毎に、個人情報に基づいて当該広告に対するユーザの適正と不適の別を判定するユーザ適正判定プログラムを記憶するユーザ適正判定プログラム群記憶部を有し、
前記優先トレイ判定部は、当該個人情報を用いて当該広告ＩＤに対応するユーザ適正判定プログラムに前記適正と不適の別を判定させることを特徴とする広告システム。
【請求項１１】
請求項９に記載の広告システムであって、
前記広告制御サーバは、更に、広告毎に、個人情報に対する評価条件に従って当該広告に対するユーザの適正と不適の別を導くユーザ適正条件式を記憶する広告管理テーブルと、
個人情報とユーザ適正条件式に基づいてユーザの適正と不適の別を判定するユーザ適正条件式判定部を有し、
前記トレイ優先順位判定部は、当該個人情報を用いて当該広告ＩＤに対応するユーザ適正条件式に従ってユーザ適正条件式演算部に前記適正と不適の別を判定させることを特徴とする広告システム。
【請求項１２】
請求項９に記載の広告システムであって、
前記広告制御サーバは、更に、広告毎に、個人情報を入力データとし、当該広告に対するユーザの適正と不適の別を出力データとする教師データを用いて学習型人工知能の学習処理により得たユーザ適正判定用学習データを記憶するユーザ適正判定用学習データ群記憶部と、
個人情報を入力し、ユーザ適正判定用学習データを用いて学習型人工知能の演算処理を行ない、適正と不適の別を判定する学習型人工知能演算部を有し、
前記優先トレイ判定部は、当該個人情報と当該広告ＩＤに対応するユーザ適正判定用学習データを用いて学習型人工知能演算部に前記適正と不適の別を判定させることを特徴とする広告システム。
【請求項１３】
複数の印刷機を有する請求項１又は９のいずれかに記載の広告システムであって、
前記広告制御サーバは、当該複数の印刷機と接続し、
前記広告制御サーバは、更に、
ユーザ毎に、当該ユーザのＩＤと、当該ユーザが印刷機を使用する際のユーザの認証に用いる認証コードと、ユーザが使用する印刷機の使用印刷機ＩＤを対応付けて記憶する認証情報テーブルと、
印刷機毎に、当該印刷機と一致する前記使用印刷機ＩＤに対応する前記ユーザＩＤと前記認証コードを特定し、前記ユーザＩＤと前記認証コードを記憶する印刷機別認証情報テーブルを生成する印刷機別認証情報テーブル生成部と、
印刷機毎に、当該印刷機に当該印刷機の印刷機別認証情報テーブルを送信する印刷機別認証情報テーブル送信部を有し、
前記印刷機は、更に、
前記印刷機別認証情報テーブルを広告制御サーバから受信する印刷機別認証情報テーブル受信部と、
受信した印刷機別認証情報テーブルを記憶する印刷機別認証情報テーブル記憶部を有し、
前記ユーザ認証部は、認証コードを入力し、印刷機別認証情報テーブルで当該入力した認証コードに対応するユーザＩＤを特定すること特徴とする広告システム。
【請求項１４】
複数の印刷機を有する請求項１又は９のいずれかに記載の広告システムであって、
前記広告制御サーバは、当該複数の印刷機と接続し、
前記広告制御サーバは、更に、
ユーザ毎に、当該ユーザのＩＤと、当該ユーザが印刷機を使用する際のユーザの認証に用いる認証コードと、ユーザが使用する印刷機の設置位置が含まれるエリアの設置エリアＩＤを対応付けて記憶する認証情報テーブルと、
印刷機毎に、当該印刷機の設置位置が含まれるエリアの設置エリアＩＤと一致する前記設置エリアＩＤに対応する前記ユーザＩＤと前記認証コードを特定し、特定したユーザＩＤと認証コードを記憶する印刷機別認証情報テーブルを生成する印刷機別認証情報テーブル生成部と、
印刷機毎に、当該印刷機に当該印刷機の印刷機別認証情報テーブルを送信する印刷機別認証情報テーブル送信部を有し、
前記印刷機は、更に、
前記印刷機別認証情報テーブルを広告制御サーバから受信する印刷機別認証情報テーブル受信部と、
受信した印刷機別認証情報テーブルを記憶する印刷機別認証情報テーブル記憶部を有し、
前記ユーザ認証部は、認証コードを入力し、印刷機別認証情報テーブルで当該入力した認証コードに対応するユーザＩＤを特定すること特徴とする広告システム。
【請求項１５】
請求項１又は９のいずれかに記載の広告システムであって、
前記印刷機はコピー機であって、更に、
コピー機に対する操作に従って、スキャンコマンドを発行するスキャン指示部と、
発行されたスキャンコマンドに従って、原稿の画像イメージを読み取るスキャン動作を制御するスキャン機構制御部と、
読み取った画像イメージを記憶する画像メモリを有し、
プリント機構制御部は、画像メモリに記憶している画像イメージを用紙に印刷することを特徴とする広告システム。
【請求項１６】
請求項１又は９のいずれかに記載の広告システムであって、
前記個人情報管理テーブルは、個人情報として、特定の会の会員として登録された会員情報を記憶する会員情報管理テーブルであることを特徴とする広告システム。
【請求項１７】
給紙するトレイを複数有する印刷機とネットワークを介して接続する広告制御サーバであって、以下の要素を有することを特徴とする広告制御サーバ
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定部
（４）ユーザ毎に、当該ユーザのＩＤに優先トレイＩＤを対応付ける優先トレイテーブルを記憶する優先トレイテーブル記憶部
（５）優先トレイテーブルを、前記印刷機に送信する優先トレイテーブル送信部。
【請求項１８】
給紙するトレイを複数有し、ネットワークを介して広告制御サーバと接続する印刷機であって、以下の要素を有することを特徴とする印刷機
（イ）ユーザ毎に、当該ユーザのＩＤに優先トレイＩＤを対応付ける優先トレイテーブルを、前記広告制御サーバから受信する優先トレイテーブル受信部
（ロ）受信した優先トレイテーブルを記憶する優先トレイテーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）優先トレイテーブルで前記ユーザＩＤに対応付けられている優先トレイＩＤのトレイに用紙が有ると検知した場合には、優先トレイＩＤにより特定されるトレイを給紙トレイと判定し、同優先トレイＩＤのトレイに用紙が無いと検知した場合には、優先トレイ以外のトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【請求項１９】
給紙するトレイを複数有する印刷機とネットワークを介して接続し、
ユーザ毎に、当該ユーザの個人情報を記憶する個人情報管理テーブルと、
前記印刷機に含まれるトレイ毎に、当該トレイへの設置を指示される広告付き用紙の広告ＩＤを記憶する用紙設定テーブルを有する広告制御サーバとなるコンピュータに、以下の手順を実行させるためのプログラム
（１）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定手順
（２）ユーザ毎に、当該ユーザのＩＤに優先トレイＩＤを対応付ける優先トレイテーブルを記憶する優先トレイテーブル記憶手順
（３）ユーザ毎に、当該ユーザのＩＤに優先トレイＩＤを対応付ける優先トレイテーブルを、前記印刷機に送信する優先トレイテーブル送信手順。
【発明の詳細な説明】
【技術分野】
【０００１】
本発明は、コピー機に代表される印刷機を利用した広告システムに係り、広告付き用紙を用いて実施する広告活動の効率を向上させる技術に関する。
【背景技術】
【０００２】
「画像形成装置及びシステム、画像読取装置およびシステム、記録媒体」（特許文献１）には、ネットワーク上の複写機やＦＡＸ等の機器を新たな広告媒体として利用し、利用者に低価格な印刷機能を提供できることを課題とし、読み取った現画像に対して、ネットワークからダウンロードした合成用画像を合成することにより、広告画像とする技術が開示されている。
【０００３】
この例のように、従来から複写機やＦＡＸ等の機器を広告媒体とする技術が散見される。それらの多くは、複写機がネットワークを介して広告画像を取得し、メモリ上で現画像に広告画像を合成する構成となっている。
【０００４】
しかし、予め広告画像が印刷されている用紙をトレイに設置して、その用紙に印刷する場合には、画像合成等の技術は必要なく、運用上の工夫のみで実現できる。
【０００５】
このように、広告が既に印刷されている用紙を利用する場合には、用紙を設置する時点で利用者を特定することはできないが、出来るだけ利用者に適応する広告を提供することが望ましい。
【特許文献１】特開平１１−１９２７６０号公報
【特許文献２】特開２００２−１６５０４５号公報
【発明の開示】
【発明が解決しようとする課題】
【０００６】
そこで、本発明は、広告付き用紙を設置して印刷サービス（例えば、コピーサービス）を提供する場合に、流出防止を図った個人情報に基づいてユーザに適応する広告を選択するとともに、印刷機（例えば、コピー機）が有する複数のトレイを有効に使い分けて、効率的に広告を提供することを課題とする。
【課題を解決するための手段】
【０００７】
本発明に係る広告システムは、主に実施の形態１、９、及び１１に開示するように、
給紙するトレイを複数有する印刷機と、当該印刷機とネットワークを介して接続する広告制御サーバからなる広告システムであって、
前記広告制御サーバは、以下の（１）から（５）の要素を有し、
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定部
（４）ユーザ毎に、当該ユーザのＩＤに優先順位付けられたトレイＩＤ群を対応付けるトレイ優先順位テーブルを記憶するサーバ側のトレイ優先順位テーブル記憶部
（５）トレイ優先順位テーブルを、前記印刷機に送信するトレイ優先順位テーブル送信部
前記印刷機は、以下の（イ）から（ト）の要素を有することを特徴とする
（イ）トレイ優先順位テーブルを、前記広告制御サーバから受信するトレイ優先順位テーブル受信部
（ロ）受信したトレイ優先順位テーブルを記憶する印刷機側のトレイ優先順位テーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）トレイ優先順位テーブルで前記ユーザＩＤに対応付けられている優先順位付けられたトレイＩＤ群に従って、用紙が有ると検知したトレイ群のうち最も優先されるトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【０００８】
このように、各トレイに対応する広告固有の判定手段により各ユーザの適応の程度を算出するので、ユーザと広告の組み合わせに応じて実際に広告効果が高いと期待されるトレイを優先して給紙トレイとして用いるようになる。後述するように適正と不適の別による場合に比べて、判定の精度が高い。
【０００９】
更に、主に実施の形態１に開示するように、
前記広告制御サーバは、更に、広告毎に、個人情報に基づいて当該広告に対するユーザの適応の程度を示すユーザ適応値を算出するユーザ適応評価プログラムを記憶するユーザ適応評価プログラム群記憶部を有し、
前記トレイ優先順位判定部は、当該個人情報を用いて当該広告ＩＤに対応するユーザ適応評価プログラムに前記ユーザ適応値を算出させることを特徴とする。
【００１０】
このように、プログラムによって個人情報に対するユーザの適応の程度を算出するので、広告の要求に応じた複雑な条件も自在に定めることができる。
【００１１】
更に、主に実施の形態９に開示するように、
前記広告制御サーバは、更に、広告毎に、個人情報に対する評価条件に従って当該広告に対するユーザの適応の程度を示すユーザ適応値を導くユーザ適応評価式を記憶する広告管理テーブルと、
個人情報とユーザ適応評価式に基づいてユーザ適応値を算出するユーザ適応評価式演算部を有し、
前記トレイ優先順位判定部は、当該個人情報を用いて当該広告ＩＤに対応するユーザ適応評価式に従ってユーザ適応評価式演算部に前記ユーザ適応値を算出させることを特徴とする。
【００１２】
このように、論理式によって個人情報に対するユーザの適応の程度を算出するので、広告の要求に応じた条件を容易に定めることができる。また、構成も単純になる。
【００１３】
更に、主に実施の形態１１に開示するように、
前記広告制御サーバは、更に、広告毎に、個人情報を入力データとし、当該広告に対するユーザの適応の程度を示すユーザ適応値を出力データとする教師データを用いて学習型人工知能の学習処理により得たユーザ適応評価用学習データを記憶するユーザ適応評価用学習データ群記憶部と、
個人情報を入力し、ユーザ適応評価用学習データを用いて学習型人工知能の演算処理を行ない、ユーザ適応値を算出する学習型人工知能演算部を有し、
前記トレイ優先順位判定部は、当該個人情報と当該広告ＩＤに対応するユーザ適応評価用学習データを用いて学習型人工知能演算部に前記ユーザ適応値を算出させることを特徴とする。
【００１４】
このように、学習型の人工知能演算によって個人情報に対するユーザの適応の程度を算出するので、潜在的な広告と個人情報の関係に基づく適応の程度を判定できるようになる。
【００１５】
更に、主に実施の形態１に開示するように、
前記用紙設定テーブルは、更に前記トレイ毎に、当該トレイに設置する用紙のサイズを記憶し、
前記トレイ優先順位判定部は、ユーザ毎に、同一の用紙サイズに対応する各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを当該用紙サイズと対応付けて生成し、
前記サーバ側のトレイ優先順位テーブル記憶部は、前記トレイ優先順位テーブルを当該用紙サイズと対応付けて記憶し、
前記印刷機側のトレイ優先順位テーブル記憶部は、用紙サイズと対応付けてトレイ優先順位テーブルを記憶し、
前記給紙トレイ検知部は、更に、トレイ毎に、当該トレイに設置される用紙のサイズを検知し、
前記給紙トレイ判定部は、印刷するサイズと同じ用紙サイズのトレイを特定し、特定したトレイが複数ある場合に、最も優先されるトレイを給紙トレイと判定することを特徴とする。
【００１６】
このように、同一の用紙サイズのトレイ群ごとに優先順位を定めるので、異なるサイズの用紙を使い分ける印刷機においても、印刷するサイズの用紙を格納するトレイ群の中から優先するトレイを選択するようになる。
【００１７】
本発明に係る広告制御サーバは、主に実施の形態１、９、及び１１に開示するように、
給紙するトレイを複数有する印刷機とネットワークを介して接続する広告制御サーバであって、以下の要素を有することを特徴とする
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定部
（４）ユーザ毎に、当該ユーザのＩＤに優先順位付けられたトレイＩＤ群を対応付けるトレイ優先順位テーブルを記憶するトレイ優先順位テーブル記憶部
（５）トレイ優先順位テーブルを、前記印刷機に送信するトレイ優先順位テーブル送信部。
【００１８】
本発明に係る印刷機は、主に実施の形態１、９、及び１１に開示するように、
給紙するトレイを複数有し、ネットワークを介して広告制御サーバと接続する印刷機であって、以下の要素を有することを特徴とする
（イ）ユーザ毎に、当該ユーザのＩＤに優先順位付けられた広告ＩＤ群を対応付けるトレイ優先順位テーブルを、前記広告制御サーバから受信するトレイ優先順位テーブル受信部
（ロ）受信したトレイ優先順位テーブルを記憶するトレイ優先順位テーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）トレイ優先順位テーブルで前記ユーザＩＤに対応付けられている優先順位付けられたトレイＩＤ群に従って、用紙が有ると検知したトレイ群のうち最も優先されるトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【００１９】
本発明に係るプログラムは、主に実施の形態１、９、及び１１に開示するように、
給紙するトレイを複数有する印刷機とネットワークを介して接続し、
ユーザ毎に、当該ユーザの個人情報を記憶する個人情報管理テーブルと、
前記印刷機に含まれるトレイ毎に、当該トレイへの設置を指示される広告付き用紙の広告ＩＤを記憶する用紙設定テーブルを有する広告制御サーバとなるコンピュータに、以下の手順を実行させるためのプログラムであることを特徴とする
（１）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適応の程度を示すユーザ適応値を算出し、より適応の程度の高いユーザ適応値を示す広告を優先する順に当該トレイのＩＤを順序付け、当該ユーザのＩＤに対応付けて優先順位付けられたトレイＩＤ群を記憶するトレイ優先順位テーブルを生成するトレイ優先順位判定手順
（２）ユーザ毎に、当該ユーザのＩＤに優先順位付けられたトレイＩＤ群を対応付けるトレイ優先順位テーブルを記憶するトレイ優先順位テーブル記憶手順
（３）ユーザ毎に、当該ユーザのＩＤに優先順位付けられたトレイＩＤ群を対応付けるトレイ優先順位テーブルを、前記印刷機に送信するトレイ優先順位テーブル送信手順。
【００２０】
更に本発明に係る広告システムは、主に実施の形態１４、１７、及び１９に開示するように、
給紙するトレイを複数有する印刷機と、当該印刷機とネットワークを介して接続する広告制御サーバからなる広告システムであって、
前記広告制御サーバは、以下の（１）から（５）の要素を有し、
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定部
（４）ユーザ毎に、当該ユーザのＩＤに優先トレイＩＤを対応付ける優先トレイテーブルを記憶するサーバ側の優先トレイテーブル記憶部
（５）優先トレイテーブルを、前記印刷機に送信する優先トレイテーブル送信部
前記印刷機は、以下の（イ）から（ト）の要素を有することを特徴とする
（イ）優先トレイテーブルを、前記広告制御サーバから受信する優先トレイテーブル受信部
（ロ）受信した優先トレイテーブルを記憶する印刷機側の優先トレイテーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）優先トレイテーブルで前記ユーザＩＤに対応付けられている優先トレイＩＤのトレイに用紙が有ると検知した場合には、優先トレイＩＤにより特定されるトレイを給紙トレイと判定し、同優先トレイＩＤのトレイに用紙が無いと検知した場合には、優先トレイ以外のトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【００２１】
このように、各トレイに対応する広告固有の判定手段により各ユーザの適正と不適の別を判定するので、ユーザと広告の組み合わせに応じて実際に広告効果が高いと期待されるトレイを優先して給紙トレイとして用いるようになる。前述の適正値による場合に比べて構成が単純になる。
【００２２】
更に、主に実施の形態１４に開示するように、
前記広告制御サーバは、更に、広告毎に、個人情報に基づいて当該広告に対するユーザの適正と不適の別を判定するユーザ適正判定プログラムを記憶するユーザ適正判定プログラム群記憶部を有し、
前記優先トレイ判定部は、当該個人情報を用いて当該広告ＩＤに対応するユーザ適正判定プログラムに前記適正と不適の別を判定させることを特徴とする。
【００２３】
このように、プログラムによって個人情報に対するユーザの適正と不適の別を判定するので、広告の要求に応じた複雑な条件も自在に定めることができる。
【００２４】
更に、主に実施の形態１７に開示するように、
前記広告制御サーバは、更に、広告毎に、個人情報に対する評価条件に従って当該広告に対するユーザの適正と不適の別を導くユーザ適正条件式を記憶する広告管理テーブルと、
個人情報とユーザ適正条件式に基づいてユーザの適正と不適の別を判定するユーザ適正条件式判定部を有し、
前記トレイ優先順位判定部は、当該個人情報を用いて当該広告ＩＤに対応するユーザ適正条件式に従ってユーザ適正条件式演算部に前記適正と不適の別を判定させることを特徴とする。
【００２５】
このように、論理式によって個人情報に対するユーザの適正と不適の別を判定するので、広告の要求に応じた条件を容易に定めることができる。また、構成も単純になる。
【００２６】
更に、主に実施の形態１９に開示するように、
前記広告制御サーバは、更に、広告毎に、個人情報を入力データとし、当該広告に対するユーザの適正と不適の別を出力データとする教師データを用いて学習型人工知能の学習処理により得たユーザ適正判定用学習データを記憶するユーザ適正判定用学習データ群記憶部と、
個人情報を入力し、ユーザ適正判定用学習データを用いて学習型人工知能の演算処理を行ない、適正と不適の別を判定する学習型人工知能演算部を有し、
前記優先トレイ判定部は、当該個人情報と当該広告ＩＤに対応するユーザ適正判定用学習データを用いて学習型人工知能演算部に前記適正と不適の別を判定させることを特徴とする。
【００２７】
このように、学習型の人工知能演算によって個人情報に対するユーザの適正と不適の別を判定するので、潜在的な広告と個人情報の関係に基づく適応の程度を判定できるようになる。
【００２８】
更に、主に実施の形態１に開示するように、
前記広告制御サーバは、当該複数の印刷機と接続し、
前記広告制御サーバは、更に、
ユーザ毎に、当該ユーザのＩＤと、当該ユーザが印刷機を使用する際のユーザの認証に用いる認証コードと、ユーザが使用する印刷機の使用印刷機ＩＤを対応付けて記憶する認証情報テーブルと、
印刷機毎に、当該印刷機と一致する前記使用印刷機ＩＤに対応する前記ユーザＩＤと前記認証コードを特定し、前記ユーザＩＤと前記認証コードを記憶する印刷機別認証情報テーブルを生成する印刷機別認証情報テーブル生成部と、
印刷機毎に、当該印刷機に当該印刷機の印刷機別認証情報テーブルを送信する印刷機別認証情報テーブル送信部を有し、
前記印刷機は、更に、
前記印刷機別認証情報テーブルを広告制御サーバから受信する印刷機別認証情報テーブル受信部と、
受信した印刷機別認証情報テーブルを記憶する印刷機別認証情報テーブル記憶部を有し、
前記ユーザ認証部は、認証コードを入力し、印刷機別認証情報テーブルで当該入力した認証コードに対応するユーザＩＤを特定すること特徴とする。
【００２９】
このように、当該印刷機を使用するユーザの認証情報のみを配信するので、認証情報の拡散を防ぐことができる。
【００３０】
更に、主に実施の形態３に開示するように、
前記広告制御サーバは、当該複数の印刷機と接続し、
前記広告制御サーバは、更に、
ユーザ毎に、当該ユーザのＩＤと、当該ユーザが印刷機を使用する際のユーザの認証に用いる認証コードと、ユーザが使用する印刷機の設置位置が含まれるエリアの設置エリアＩＤを対応付けて記憶する認証情報テーブルと、
印刷機毎に、当該印刷機の設置位置が含まれるエリアの設置エリアＩＤと一致する前記設置エリアＩＤに対応する前記ユーザＩＤと前記認証コードを特定し、特定したユーザＩＤと認証コードを記憶する印刷機別認証情報テーブルを生成する印刷機別認証情報テーブル生成部と、
印刷機毎に、当該印刷機に当該印刷機の印刷機別認証情報テーブルを送信する印刷機別認証情報テーブル送信部を有し、
前記印刷機は、更に、
前記印刷機別認証情報テーブルを広告制御サーバから受信する印刷機別認証情報テーブル受信部と、
受信した印刷機別認証情報テーブルを記憶する印刷機別認証情報テーブル記憶部を有し、
前記ユーザ認証部は、認証コードを入力し、印刷機別認証情報テーブルで当該入力した認証コードに対応するユーザＩＤを特定すること特徴とする。
【００３１】
このように、ユーザが登録したエリアに含まれる印刷機に対してのみ認証情報を配信するので、認証情報の広範な拡散を防ぐとともに、使用機会の拡充を図ることができる。
【００３２】
更に、主に実施の形態１に開示するように、
前記印刷機はコピー機であって、更に、
コピー機に対する操作に従って、スキャンコマンドを発行するスキャン指示部と、
発行されたスキャンコマンドに従って、原稿の画像イメージを読み取るスキャン動作を制御するスキャン機構制御部と、
読み取った画像イメージを記憶する画像メモリを有し、
プリント機構制御部は、画像メモリに記憶している画像イメージを用紙に印刷することを特徴とする。
【００３３】
更に、主に実施の形態１に開示するように、
前記個人情報管理テーブルは、個人情報として、特定の会の会員として登録された会員情報を記憶する会員情報管理テーブルであることを特徴とする。
【００３４】
運用上、当該サービスを受ける会員に対して、個人情報をサーバ内でのみ使用するシステム構成となっているのでネットワーク上へ流出することがない旨を説明し、その上で当該サービスの目的の範囲内で会員情報を使用する旨の許諾を取り付けることにより、相互信頼に基づき会員と会にとって意義のある印刷サービスの提供と広告活動を行なうことができるようになる。
【００３５】
更に本発明に係る広告制御サーバは、主に実施の形態１４、１７、及び１９に開示するように、
給紙するトレイを複数有する印刷機とネットワークを介して接続する広告制御サーバであって、以下の要素を有することを特徴とする
（１）ユーザ毎に、当該ユーザの個人情報を記憶する個人情報管理テーブル
（２）前記印刷機に含まれるトレイ毎に、当該トレイへの設置を指示される広告付き用紙の広告ＩＤを記憶する用紙設定テーブル
（３）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定部
（４）ユーザ毎に、当該ユーザのＩＤに優先トレイＩＤを対応付ける優先トレイテーブルを記憶する優先トレイテーブル記憶部
（５）優先トレイテーブルを、前記印刷機に送信する優先トレイテーブル送信部。
【００３６】
更に本発明に係る印刷機は、主に実施の形態１４、１７、及び１９に開示するように、
給紙するトレイを複数有し、ネットワークを介して広告制御サーバと接続する印刷機であって、以下の要素を有することを特徴とする
（イ）ユーザ毎に、当該ユーザのＩＤに優先トレイＩＤを対応付ける優先トレイテーブルを、前記広告制御サーバから受信する優先トレイテーブル受信部
（ロ）受信した優先トレイテーブルを記憶する優先トレイテーブル記憶部
（ハ）印刷機を操作する者のユーザＩＤを特定するユーザ認証部
（ニ）トレイ毎に、当該トレイに設置されている用紙の有無を検知する給紙トレイ検知部
（ホ）優先トレイテーブルで前記ユーザＩＤに対応付けられている優先トレイＩＤのトレイに用紙が有ると検知した場合には、優先トレイＩＤにより特定されるトレイを給紙トレイと判定し、同優先トレイＩＤのトレイに用紙が無いと検知した場合には、優先トレイ以外のトレイを給紙トレイと判定する給紙トレイ判定部
（へ）判定した給紙トレイを指示してプリントコマンドを発行するプリント指示部
（ト）発行されたプリントコマンドで指示された給紙トレイから給紙し、印刷するプリント動作を制御するプリント機構制御部。
【００３７】
更に本発明に係るプログラムは、主に実施の形態１４、１７、及び１９に開示するように、
給紙するトレイを複数有する印刷機とネットワークを介して接続し、
ユーザ毎に、当該ユーザの個人情報を記憶する個人情報管理テーブルと、
前記印刷機に含まれるトレイ毎に、当該トレイへの設置を指示される広告付き用紙の広告ＩＤを記憶する用紙設定テーブルを有する広告制御サーバとなるコンピュータに、以下の手順を実行させるためのプログラムであることを特徴とする
（１）ユーザ毎に、各トレイについて用紙設定テーブルから当該トレイに対応する広告ＩＤを取得し、個人情報管理テーブルから当該ユーザの個人情報を取得し、当該個人情報を用いて当該広告ＩＤの広告に対するユーザの適正と不適の別を判定し、当該ユーザのＩＤに対応付けて適正と判定された広告に対応するトレイＩＤを優先トレイとして記憶する優先トレイテーブルを生成する優先トレイ判定手順
（２）ユーザ毎に、当該ユーザのＩＤに優先トレイＩＤを対応付ける優先トレイテーブルを記憶する優先トレイテーブル記憶手順
（３）ユーザ毎に、当該ユーザのＩＤに優先トレイＩＤを対応付ける優先トレイテーブルを、前記印刷機に送信する優先トレイテーブル送信手順。
【発明の効果】
【００３８】
本発明によれば、印刷機（例えば、コピー機）に同一用紙サイズの給紙トレイが複数有る場合に、それぞれのトレイに設置されている用紙に付されている広告のうち、ユーザに適応する広告を選択し、選択した広告の画像が印刷されている用紙が設置されているトレイを優先的に選択して印刷するので、広告効率（用紙当りの広告として期待される効果）が向上する。
【００３９】
特に、広告制御サーバ内においてのみユーザの会員情報を用いるので、個人情報流出の防止を図ることができる点で有意義である。
【発明を実施するための最良の形態】
【００４０】
実施の形態１．
図１は、本発明に係るネットワーク環境を示す図である。広告制御サーバ１０１は、インターネットあるいは電話回線（サーバコピー機間ネットワークの例）を介してコピー機１０２と接続している。また、広告制御サーバ１０１は、インターネット（サーバユーザ端末間ネットワークの例）を介してユーザＰＣ１０３あるいは携帯電話（ユーザ端末の例）と接続している。広告制御サーバ１０１は、インターネット（サーバ広告主端末間ネットワークの例）を介して広告主ＰＣ１０４あるいは携帯電話（広告主端末の例）と接続している。ユーザＰＣ１０３、広告主ＰＣ１０４、あるいは携帯電話は、ブラウザを有している。
【００４１】
コピー機１０２は、給紙するトレイを複数有する印刷機の例である。印刷機の他の例としては、単体としてのプリンタを用いる形態や、プリンタとコンピュータと組み合わせて、接続されたプリンタとコンピュータからなる印刷システムの形態なども考えられる。
【００４２】
この例では、コピー機は、大学の敷地内やコンビニエンスストア等で運用されるコピーサービス（印刷サービスの例）で使用されることを想定している。また、使用者（ユーザ）は、特定の会（組合やポータルサイトなど）の会員として登録されていることを前提としている。コピー機を使用してコピーサービスを提供する運用者は、予め広告が印刷されている印刷用紙をトレイに設置し、これにコピーさせる。広告は、用紙の表面の上段や下段などの端の部分に付しておく形態や、用紙の裏面に付する形態などが考えられる。広告付き用紙は、運用者側で印刷され、あるいは用紙提供者から運用者に配送される。
【００４３】
図２は、本発明に係る各処理の手順とデータフローの概要を示す図である。広告制御サーバ１０１による使用者登録処理２０１では、本発明によるコピーサービスを利用する使用者（ユーザ）の登録を行う。具体的には、ユーザＰＣ１０３から広告制御サーバ１０１へ会員情報（個人情報の例）と、使用するコピー機の選択と、コピー機を使用する際の認証に用いる認証コードを登録する。本処理は、ユーザＰＣ１０３から広告制御サーバ１０１に対して要求があった場合に随時行われる。また、ユーザが、コピー機を使用する前に、この登録を行う。詳しくは、図７から図１０を用いて後述する。
【００４４】
広告制御サーバ１０１によるコピー機別認証情報テーブル配信処理２０２とコピー機１０２によるコピー機別認証情報テーブル受付処理２０３では、広告制御サーバ１０１から各コピー機１０２に対して当該コピー機を使用する使用者に関する認証情報を転送する。本処理は、例えば運用開始前（例えば、開店前）と運用中の定期間隔毎に行われる。つまり使用者の登録を反映するのに適した時点で繰り返し行われる。詳しくは、図１１から図１６を用いて後述する。
【００４５】
広告制御サーバ１０１によるコピー機設定準備処理２０４では、各コピー機１０２に設定する情報を生成する。具体的には、トレイ毎に、設置する用紙に付される広告を特定する情報と、その用紙サイズ、及び設置する枚数を定めた用紙設定テーブル（図１９）と同一用紙サイズのトレイが複数有る場合のトレイの優先順位を定めたトレイ優先順位テーブル（図２０）を生成する。本処理は、コピー機設定情報配信処理２０５の前処理として行われる。詳しくは、図１７から図３１を用いて後述する。
【００４６】
広告制御サーバ１０１によるコピー機設定情報配信処理２０５とコピー機１０２によるコピー機設定情報受付処理２０６では、広告制御サーバ１０１から各コピー機１０２に対してコピー機設定情報を転送する。具体的には、前述の用紙設置指示書とトレイ優先順位テーブルを転送する。本処理は、所定の運用単位期間（例えば、一日、半日、一週間など）の運用開始前（例えば、開店前、開店前と昼休み、月曜の開店前など）に行われる。詳しくは、図３２から図３７を用いて後述する。
【００４７】
コピー機１０２による複写動作制御処理２０７では、使用者（ユーザ）の操作に従って複製動作を行う。本処理は、前記運用単位期間内に行われる。詳しくは、図３８から図４４を用いて後述する。
【００４８】
続いて、広告制御サーバ１０１が有する主なテーブルについて説明する。図３は、コピー機管理テーブルの例を示す図である。コピー機管理テーブル７０３は、各コピー機１０２に関する情報を管理するためのテーブルである。具体的には、本テーブルは、コピー機１０２毎にレコードを設け、コピー機ＩＤ３０１と、設置場所３０２と、設置エリアＩＤ３０３と、電話番号３０４と、ＩＰアドレス３０５等の項目を対応付けて記憶するように構成されている。設置場所３０２は、住所で記述するほか、緯度経度で記述しても構わない。電話番号３０４とＩＰアドレス３０５は、コピー機１０２と通信する際に通信相手を特定するコピー機アドレスの例である。設置エリアＩＤ３０３は、設置位置３０２を含む所定のエリアを特定する情報であるが、詳しくは図４８を用いて後述する。
【００４９】
図４は、トレイ構成テーブルの例を示す図である。トレイ構成テーブル２５０１は、コピー機１０２が有するトレイの構成を定めたテーブルである。本テーブルは、コピー機１０２毎のテーブルから構成される。コピー機１０２毎のテーブルは、当該コピー機ＩＤに対応付けて設けられ、ヘッダに当該コピー機が有するトレイ数４０１の項目を有する。更に、トレイ毎にレコード４５１〜４５４を設け、トレイＩＤ４０２と用紙の最大収納枚数４０３の項目を対応付けて記憶するように構成されている。
【００５０】
図５は、広告管理テーブルの例を示す図である。広告管理テーブル２２０１は、各広告に関する情報を管理するためのテーブルである。具体的には、本テーブルは、広告主から依頼された広告毎にレコード５５１〜５５４を設け、広告ＩＤ５０１と、広告名５０２と、ユーザ適応評価プログラム名５０３と、画像サイズ５０４と、オーダー枚数５０５と、残枚数５０６と、広告画像ファイル名５０７と、広告主ＩＤ５０８の項目を対応付けて記憶するように構成されている。オーダー枚数５０５は、広告主から要求された用紙の枚数である。残枚数５０６は、オーダー枚数のうち現時点でまだトレイに設置されていない枚数である。また、広告制御サーバ１０１には、広告画像ファイル名５０７に対応する画像ファイルが記憶されている。広告制御サーバ１０１は、更に、広告主ＩＤと広告主である会社名と会社に関する情報等を対応付けて記憶する広告主管理テーブル（図示せず）を有している。広告制御サーバ１０１は、このテーブルを用いて広告主ＩＤから広告主を特定することができる。広告主は、広告主ＰＣ１０４から広告制御サーバ１０１にアクセスして広告を依頼する。
【００５１】
広告画像ファイル名５０７で特定される広告画像ファイルには、用紙に付される広告の画像が記憶されている。この画像は、展開されたイメージデータの形式の他、文字列データ形式、図形データ形式、写真データ形式、あるいはこれらの任意の組み合わせなどいずれの形態で構成されていてもよい。
【００５２】
ユーザ適応評価プログラム名５０３で特定されるユーザ適応評価プログラムについて説明する。ユーザ適応評価プログラムは、会員情報を用いて使用者（会員）が当該広告に適する程度（ユーザ適応値）を判定するためのプログラムである。図６は、ユーザ適応評価プログラムの例を示す図である。この例では、性別と年齢の組み合わせによってユーザ適応値を振り分けている。この例では、１．０が最も当該広告に適しており、０．０が最も当該広告に適していないことを示している。ユーザ適応値は、当該ユーザ（使用者）の要求に応じて広告付き用紙にコピーした場合（印刷した場合の例）に、当該ユーザ（使用者）に対する広告の効果が期待できる程度である。広告の効果とは、広告主の取引機会の増加であることが多い。取引の機会は、普通広告主とユーザの取引である。但し、広告の効果は取引機会の増加に限らず、告知や謝罪など広告の目的によって効果は異なる。
【００５３】
まず、後述する会員情報管理テーブル７０２（図８）の項目のうち、性別８０４を読み取り、男女の別により処理を分岐させる（Ｓ６０１）。例えば、ユーザＩＤがＵＳ０００１の会員の場合には、男なのでＳ６０２に移る。他方ユーザＩＤがＵＳ０００２の会員の場合には、女なのでＳ６０９に移る。
【００５４】
Ｓ６０２に移った場合には、同様に会員情報管理テーブル７０２の項目のうち、年齢８０５を読み取り、基準値との比較を行なう。Ｓ６０２では、年齢８０５が１５以上かつ１７以下の場合に、ユーザ適応値を０．６に設定して終了する（Ｓ６０３）。同様にＳ６０４では、１８以上かつ２４以下の場合に、ユーザ適応値を１．０に設定して終了する（Ｓ６０５）。同様にＳ６０６では、２５以上かつ２９以下の場合に、ユーザ適応値を０．８に設定して終了する（Ｓ６０７）。それ以外の場合には（Ｓ６０６）、ユーザ適応値を０．４に設定して終了する（Ｓ６０８）。例えば、ユーザＩＤがＵＳ０００１の会員の場合には、年齢の項目が３４なのでＳ６０２、Ｓ６０４、Ｓ６０６と遷移して、Ｓ６０８でユーザ適応値が０．４となる。
【００５５】
Ｓ６０９に移った場合にも、同様に会員情報管理テーブル７０２の項目のうち、年齢８０５を読み取り、基準値との比較を行なう。Ｓ６０９では、年齢８０５が１５以上かつ１７以下の場合に、ユーザ適応値を０．２に設定して終了する（Ｓ６１０）。同様にＳ６１１では、１８以上かつ２４以下の場合に、ユーザ適応値を０．６に設定して終了する（Ｓ６１２）。同様にＳ６１３では、２５以上かつ２９以下の場合に、ユーザ適応値を０．４に設定して終了する（Ｓ６１４）。それ以外の場合には（Ｓ６１３）、ユーザ適応値を０．０に設定して終了する（Ｓ６１５）。例えば、ユーザＩＤがＵＳ０００２の会員の場合には、年齢の項目が２８なのでＳ６０９、Ｓ６１１、Ｓ６１３と遷移して、Ｓ６１４でユーザ適応値が０．４となる。
【００５６】
ユーザ適応評価プログラムは、広告主の依頼に応じて生成されものであって、画一的に手順を定めるべきものとは限らない。例えば、広告主の出店地と使用者（会員）の住所の距離を算出し、その距離が所定の近隣基準以下であれば１．０と判定し、その距離が所定の遠方基準以上であれば０．０と判定し、近隣基準と遠方基準の距離の場合もその短さに応じて１．０から０．０の中間値を振り分けるようにするプログラムや、職業によってユーザ評価値を決定するプログラム、あるいは個人情報の複数の要素を組み合わせて判定するプログラムなど多様な形態が考えられる。そのため、広告の内容によってユーザ適応評価プログラムが異なることもあれば、同一のユーザ適応評価プログラムを複数の広告で用いることもある。また、同一の広告主でも、その広告に内容によって、ターゲットも異なってくる可能性もあることから、図５に示すように、広告ごとにユーザ適応評価プログラムが準備されている。
【００５７】
なお、ユーザ適応評価プログラムに、その広告のターゲット層や基準値となるパラメータを入力することによって、ユーザ適応値を算出するようなプログラムとしてもよい。この場合には、広告ごとにユーザ適応評価プログラムを準備する必要がなくなる。
【００５８】
続いて、図２に示した使用者登録処理２０１について詳述する。図７は、広告制御サーバのうち使用者登録に係る構成を示す図である。広告制御サーバ１０１は、使用者登録部７０１、会員情報管理テーブル７０２（図８）、コピー機管理テーブル７０３（図３）、及び認証情報テーブル７０４（図９）を有している。本処理において、使用者登録部７０１は、入力された会員情報を会員情報管理テーブル７０２に書込み、当該会員のユーザＩＤと選択された使用コピー機のＩＤと入力された認証コートを対応付けて認証情報テーブル７０４に書き込む。コピー機管理テーブル７０３は、印刷機管理テーブルの例である。
【００５９】
図８は、会員情報管理テーブルを示す図である。本テーブルは、ユーザ（会員）毎にレコード８５１〜８５４を設け、ユーザＩＤ８０１と、会員パスワード８０２と、氏名８０３と、性別８０４と、年齢８０５と、住所８０６と、職業８０７等の個人情報の項目を対応付けて記憶するように構成されている。会員情報管理テーブルは、個人情報として、特定の会の会員として登録された会員情報を記憶しており、ユーザ毎に個人情報を記憶する個人情報管理テーブルの例である。
【００６０】
図９は、認証情報テーブルの例を示す図である。認証情報テーブル７０４は、ユーザがコピー機を使用する際に用いる認証コードを定めるテーブルである。具体的には、ユーザ毎にレコード９５１〜９５４を設け、ユーザＩＤ９０１と、認証コード９０２と、使用コピー機ＩＤ９０３の項目を対応付けて記憶するように構成されている。認証コードは、当該ユーザがコピー機を使用する際のユーザ認証に用いる。使用コピー機ＩＤは、当該ユーザが使用を前提として選択したコピー機のＩＤである。なお、勿論、当該ユーザが、使用を前提として３台のコピー機を選択した場合には、ユーザＩＤ９０１と認証コード９０２に対応する使用コピー機ＩＤ９０３が３つ登録されることになる（または、ユーザＩＤ９０１に対応する認証コード９０２と使用コピー機ＩＤ９０３の組み合わせのレコードが３つ追加されることになる）。
【００６１】
図１０は、広告制御サーバ１０１による使用者登録処理フローを示す図である。使用者登録部７０１は、まず、会員登録の有無により処理を分岐する（Ｓ１００１）。次に、使用者登録部７０１は、ブラウザを介して会員登録の有無を問う画面をユーザＰＣ１０３に送信し、ユーザＰＣ１０３より会員登録の有無を選択した情報を受信する。
【００６２】
会員登録無しの旨を受信した場合には、使用者登録部７０１は、会員情報管理テーブル７０２に会員情報を登録する処理を行う。その為に、使用者登録部７０１は、会員情報入力画面をユーザＰＣ１０３に送信する（Ｓ１００２）。会員情報入力画面は、ブラウザ上で会員情報の入力を促すように構成されており、入力された会員情報を返信させるように構成されている。そして、会員情報を受信し（Ｓ１００３）、当該会員情報を会員情報管理テーブルの新レコードに追加する（Ｓ１００４）。会員情報には、氏名、性別、年齢、住所、職業などの個人情報のほか、当該会員サイトにアクセスするための会員ログイン時の認証に用いる会員パスワードも含まれる。その後、処理はステップＳ１００６に進む。
【００６３】
会員登録有りの旨を受信した場合には、使用者登録部７０１は、会員ログイン処理を行う（Ｓ１００５）。具体的には、使用者登録部７０１は、ブラウザ上でユーザＩＤと会員パスワードの入力を促し、入力されたユーザＩＤと会員パスワードを返信させる会員ログイン画面をユーザＰＣ１０３に対して送信し、ユーザＩＤと会員パスワードを受信する。受信したユーザＩＤと会員パスワードの組み合わせが会員情報管理テーブル７０２のいずれかのレコードのユーザＩＤと会員パスワードの組み合わせと一致する場合には、認証成功と判定し、Ｓ１００６の処理に移行する。
【００６４】
続いて、使用者登録部７０１は、使用コピー機選択画面をユーザＰＣ１０３に送信する（Ｓ１００６）。使用コピー機選択画面は、コピーサービスとして使用できるコピー機群を示し、当該ユーザ（会員）が使用するコピー機を選択するように促し、選択されたコピー機を識別する情報を返信させるように構成されている。そして、使用者登録部７０１は、返信された使用コピー機の選択情報を受信し（Ｓ１００７）、選択されたコピー機のＩＤ（使用コピー機ＩＤ）を特定する。例えば、コピー機の設置位置リストあるいは設置位置を配置した地図を送信し、リストあるいは地図上から配置位置を指示させることによりコピー機を選択させ、選択されたコピー機のＩＤを返信させる。複数のコピー機を選択し、選択されたコピー機群のＩＤを特定するようにしてもよい。
【００６５】
続いて、使用者登録部７０１は、認証コード入力画面をユーザＰＣ１０３に送信する（Ｓ１００８）。認証コード入力画面は、当該ユーザ（会員）がコピー機を使用する際に用いる認証コードの入力を促し、入力された認証コードを返信させるように構成されている。そして、返信された認証コードを受信し（Ｓ１００９）、使用コピー機と認証コードの組み合わせの重複チェック（Ｓ１０１０）を行う。Ｓ１００７で特定した使用コピー機ＩＤと受信した認証コードの組み合わせが、認証情報テーブル７０４（図７および図９）のいずれのレコードの使用コピー機ＩＤと認証コードの組み合わせとも一致しない場合に、重複しないと判定する。そして、重複しないと判定したとき、使用者登録部７０１は、認証情報テーブル７０４に新レコードを追加する（Ｓ１０１１）。つまり、当該ユーザのユーザＩＤと、受信した認証コードと、特定した使用コピー機ＩＤを対応付けて記憶する。尚、Ｓ１０１０でいずれかのレコードの組み合わせと一致する場合には重複すると判定し、エラーの旨をユーザに通知するとともにＳ１００８の処理に戻る。ユーザ（会員）は、別な認証コードを再入力する。
【００６６】
Ｓ１００７のステップで複数のコピー機を選択した場合には、Ｓ１０１０のステップで複数のコピー機について重複をチェックし、いずれも重複しない場合に、認証情報テーブルに同一の認証コードを有するコピー機数分のレコードを追加する。
【００６７】
尚、上述の例ではＳ１００８とＳ１００９でユーザが指定した認証コードを受け付けたが、使用者登録部７０１で新規な認証コードを割り振るように構成してもよい。その場合には、Ｓ１０１０のチェックは不要となる。
【００６８】
以上のようにして新たなユーザの登録が完了する。つまり、図２の使用者登録処理２０１が終わる。
【００６９】
続いて、図２に示したコピー機別認証情報テーブル配信処理２０２とコピー機別認証情報テーブル受付処理２０３について詳述する。この処理では、広告制御サーバ１０１でコピー機毎にコピー機別認証情報テーブル（図１１）を生成し、当該コピー機１０２に転送する。コピー機別認証情報テーブルは、印刷機別認証情報テーブルの例である。
【００７０】
図１１は、コピー機別認証情報テーブルの例を示す図である。このテーブルは、認証情報テーブル（図９）からコピー機別に当該コピー機で用いる認証情報のみを抽出したテーブルである。コピー機別認証情報テーブルは、各使用コピー機ＩＤに対応付けて設けられる。本レコードは、当該コピー機を使用するユーザ毎にレコード１１５１〜１１５４を設け、ユーザＩＤ１１０１と認証コード１１０２の項目を対応付けて記憶するように構成されている。
【００７１】
図１２は、広告制御サーバのうちコピー機別認証情報テーブル配信に係る構成を示す図である。広告制御サーバ１０１は、コピー機別認証情報テーブル生成部１２０１、コピー機別認証情報テーブル配信開始通知部１２０２、及びコピー機別認証情報テーブル送信部１２０３を有している。コピー機別認証情報テーブル生成部１２０１は、コピー機管理テーブル（記憶部）７０３で管理しているコピー機毎に、認証情報テーブル（記憶部）７０４からコピー機別認証情報テーブルを生成する。コピー機別認証情報テーブル配信開始通知部１２０２は、コピー機に対してコピー機別認証情報テーブルの配信を開始する旨を通知し、その応答を待つことによって送信先であるコピー機の存在を確認する。これによって実際の配信の準備が整う。コピー機別認証情報テーブル送信部１２０３は、実際にコピー機別認証情報テーブルをコピー機に送信するように構成されている。これらのコピー機別認証情報テーブル生成部１２０１、コピー機別認証情報テーブル配信開始通知部１２０２、及びコピー機別認証情報テーブル送信部１２０３は、それぞれ印刷機別認証情報テーブル生成部、印刷機別認証情報テーブル配信開始通知部、及び印刷機別認証情報テーブル送信部の例である。なお、図中、上述した図と対応する部分については、同一の符号を付してあり、その説明は繰り返しになるので省略する。
【００７２】
図１３は、広告制御サーバによるコピー機別認証情報テーブル配信処理フローを示す図である。広告制御サーバ１０１は、コピー機管理テーブル（記憶部）７０３で管理しているコピー機毎に以下の処理を繰り返す（Ｓ１３０１）。このループは、広告制御サーバ１０１が対象としているすべてのコピー機１０２に対して順次それぞれのコピー機別認証情報テーブルを生成して配信するための動作を制御するためのものである。まず、コピー機別認証情報テーブル生成部１２０１によるコピー機別認証情報テーブル生成処理（Ｓ１３０２）を行う。この処理では、コピー機別認証情報テーブル生成部１２０１は、当該コピー機を使用するユーザのユーザＩＤと認証コードの組み合わせを選別してコピー機別認証情報テーブル（図１１）を生成する。
【００７３】
具体的な処理について説明する。図１４は、コピー機別認証情報テーブル生成処理フローを示す図である。コピー機別認証情報テーブル生成部１２０１は、認証情報テーブル７０４（図９）のレコード毎に以下の処理を繰り返す（Ｓ１４０１）。これは、認証情報テーブル７０４から漏れなく当該コピー機に関する認証情報を抽出するためのループである。コピー機別認証情報テーブル生成部１２０１は、図９の使用コピー機ＩＤ９０３が当該コピー機ＩＤと一致するか判定し（Ｓ１４０２）、一致する場合には、当該レコードのユーザＩＤ９０１と認証コード９０２をコピー機別認証情報テーブル（図１１）のレコードに加える（Ｓ１４０３）。例えば、ＣＰ００１で特定されるコピー機についてのコピー機別認証情報テーブルを生成する場合であって、図９の認証情報テーブルのユーザＩＤがＵＳ０００１のときには、使用コピー機ＩＤ９０３がＣＰ００１であるので、Ｓ１４０２で一致すると判定され、ユーザＩＤ９０１のＵＳ０００１と認証コード９０２の「１２２４」が図１１のレコード１１５１に記憶される。一方、一致しない場合には（Ｓ１４０２）、コピー機別認証情報テーブルに新たなレコードに加えることなく、Ｓ１４０４の判定に移行する。例えば、ＣＰ００１ではなく、ＣＰ００２で特定されるコピー機についてのコピー機別認証情報テーブルを生成する場合であって、ユーザＩＤがＵＳ０００１のときには、Ｓ１４０２で一致しないと判定され、コピー機別認証情報テーブルに対してレコードを追加することはない。そして、すべてのレコードについて処理した時点で終了する（Ｓ１４０４）。これにより、図１１に示されるコピー機別認証情報テーブルが生成される。図１１の例においては、使用コピー機ＩＤがＣＰ００１であるコピー機について、ユーザＩＤ１１０１と認証コード１１０２が対応付けられている。すなわち、図１４のＳ１４０２で判定される当該コピー機ＩＤがＣＰ００１のときに、このテーブルが生成されたことになる。
【００７４】
コピー機別認証情報テーブル（図９）が生成されると、処理は、図１３のＳ１３０３に進み、続いてコピー機別認証情報テーブル配信開始通知部１２０２によるコピー機別認証情報テーブル配信開始通知処理（Ｓ１３０３）を行う。この処理では、コピー機別認証情報テーブル配信開始通知部１２０２が当該コピー機１０２に対して配信開始の通知を送信し、コピー機１０２から返信される応答通知を受信するまで待つ。これにより、広告制御サーバ１０１とコピー機１０２の接続が確認される。
【００７５】
そして、コピー機別認証情報テーブル送信部１２０３によるコピー機別認証情報テーブル送信処理（Ｓ１３０４）を行う。この処理では、コピー機別認証情報テーブル送信部１２０３が、当該コピー機１０２に対してＳ１３０２で生成したコピー機別認証情報テーブルを送信する。
【００７６】
そして、すべてのコピー機について処理した時点で終了する（Ｓ１３０５）。これにより、すべてのコピー機に対して、それぞれ対応するコピー機別認証情報テーブルが送信されたことになる。つまり、図２のコピー機別認証情報テーブル配信処理２０２が完了する。
【００７７】
次にコピー機１０２側の動作について説明する。図２に示すように広告制御サーバ１０１が前述の通りコピー機別認証情報テーブル配信処理２０２を行なう間にコピー機１０２側では、それに対応するコピー機別認証情報テーブル受付処理２０３を行なう。図１５は、コピー機のうちコピー機別認証情報テーブル受付に係る構成を示す図である。コピー機１０２は、コピー機別認証情報テーブル配信開始応答部１５０１、コピー機別認証情報テーブル受信部１５０２、及びコピー機別認証情報テーブル（記憶部）１５０３を有している。
コピー機別認証情報テーブル配信開始応答部１５０１は、広告制御サーバ１０１からの配信開始通知を受信した場合に、その応答通知を返信する。コピー機別認証情報テーブル受信部１５０２は、コピー機別認証情報テーブルを受信し、コピー機別認証情報テーブル（記憶部）１５０３は、そのコピー機別認証情報テーブルを記憶するように構成されている。
【００７８】
図１６は、コピー機によるコピー機別認証情報テーブル受付処理フローを示す図である。
コピー機別認証情報テーブル配信開始応答部１５０１によるコピー機別認証情報テーブル配信開始応答処理（Ｓ１６０１）では、広告制御サーバ１０１より配信開始通知を受信し、応答通知を広告制御サーバ１０１に返信する。続いて、コピー機別認証情報テーブル受信部１５０２によるコピー機別認証情報テーブル受信処理（Ｓ１６０２）で、コピー機認証情報テーブルを受信し、コピー機別認証情報テーブル記憶処理（Ｓ１６０３）でこれをコピー機別認証情報テーブル（記憶部）１５０３に記憶させる。すなわち、図１３のＳ１３０４で広告制御サーバ１０１により送信されたコピー機別認証情報テーブルが、コピー機１０２側で受信される。
【００７９】
このようにして、広告制御サーバ１０１から各コピー機１０２に対するコピー機別認証情報テーブルの転送が完了する。つまり、図２のコピー機別認証情報テーブル配信処理２０２に対応するコピー機別認証情報テーブル受付処理２０３が終了する。
【００８０】
続いて、図２に示したコピー機設定準備処理２０４について詳述する。図１７は、広告制御サーバのうちコピー機設定準備に係る構成を示す図である。広告制御サーバ１０１は、コピー機設定準備部１７０１と、このコピー機設定準備部１７０１により生成される用紙設定テーブル（記憶部）１７０３とトレイ優先順位テーブル（記憶部）１７０５を有している。また、コピー機設定準備部１７０１は、用紙設定テーブル（記憶部）１７０３を生成する用紙設定部１７０２と、トレイ優先順位テーブル（記憶部）１７０５を生成するトレイ優先順位判定部１７０４を有している。更に、用紙設定部１７０２は、コピー機適応評価部１７０６、コピー機適応値テーブル（記憶部）１７０７、広告選択部１７０８、及び設置用紙枚数算出部１７０９を有している。コピー機適応評価部１７０６は、広告に対する各コピー機の適応値を算出し、コピー機適応値テーブル（記憶部）１７０７は、算出したコピー機適応値を記憶し、広告選択部１７０８は、コピー機適応値に基づいてコピー機に割り当てる広告を選択し、設置用紙枚数算出部１７０９は、各トレイに設置する広告付き用紙の枚数を算出するように構成されている。コピー機設定準備部、コピー機適応評価部、及びコピー機適応値テーブル（記憶部）は、印刷機設定準備部、印刷機適応評価部、及び印刷機適応値テーブル（記憶部）の例である。
【００８１】
図１８は、広告制御サーバによるコピー機設定準備処理フローを示す図である。まず、
用紙設定部１７０２による用紙設定処理（Ｓ１８０１）を行う。これにより用紙設定テーブルを生成する。詳しくは、図２１以降で詳述する。
【００８２】
図１９は、この処理で生成される用紙設定テーブルの例を示す図である。用紙設定テーブルは、コピー機の各トレイ対する用紙の設置に関する情報を定めるテーブルである。具体的には、このテーブルは、コピー機毎のテーブルから構成され、各テーブルは、コピー機ＩＤに対応付けて設けられる。当該コピー機に含まれるトレイ毎にレコード１９５１〜１９５４を設け、トレイＩＤ１９０１と、広告ＩＤ１９０２と、用紙サイズ１９０３と、設置用紙枚数１９０４の項目を対応付けて記憶するように構成されている。
【００８３】
図１８の用紙設定処理（Ｓ１８０１）により図１９の用紙設定テーブルが生成されると、次に、トレイ優先順位判定部１７０４によるトレイ優先順位判定処理（Ｓ１８０２）を行う。これによりトレイ優先順位テーブル（図２０）を生成する。詳しくは、図２９以降で詳述する。
【００８４】
図２０は、この処理で生成されるトレイ優先順位テーブルの例を示す図である。トレイ優先順位テーブル１７０５は、トレイの優先順位を定めるテーブルである。具体的には、トレイ優先順位テーブル１７０５は、コピー機ＩＤと用紙サイズに対応付けて設けられる。また、当該コピー機を使用するユーザ毎にレコード２０５１〜２０５４を設け、ユーザＩＤ２００１と、第一優先トレイＩＤ２００２と、第二優先トレイＩＤ２００３と、第三優先トレイＩＤ２００４の項目を対応付けて記憶するように構成されている。この例では、優先する順にトレイＩＤを並べる形態について説明したが、各トレイＩＤに対して優先順位を示す値を対応付ける形態でも構わない。つまり、トレイＩＤを優先順位付けられていれば如何なる形態でも構わない。
【００８５】
次に、用紙設定部１７０２による用紙設定処理（図１８のＳ１８０１）について詳述する。図２１は、用紙設定処理フローの詳細を示す図である。用紙設定部１７０２は、コピー機毎に以下の処理を繰り返す（Ｓ２１０１）。このループにより各コピー機に対する用紙設定テーブル１７０３を生成する。コピー機適応評価部１７０６によるコピー機適応評価処理（Ｓ２１０２）では、各広告が当該コピー機の使用するユーザ（会員）群に適するかを評価する。詳しくは、図２２以降で詳述する。
【００８６】
広告選択部１７０８による広告選択処理（Ｓ２１０３）では、前述の評価に従って各トレイに設置（セット）される用紙に付される広告を選択する。つまり、この処理で選択した広告が印刷されている用紙を、運用者がトレイに設置するように運用する。詳しくは、図２５以降で詳述する。
【００８７】
設置用紙枚数算出部１７０９による設置用紙枚数算出処理（Ｓ２１０４）では、各トレイに設置する広告付き用紙の枚数を算出する。詳しくは、図２７以降で詳述する。
【００８８】
ここで、図２１のＳ２１０２のコピー機適応評価処理に関する詳細を説明する。図２２は、コピー機適応評価に係る構成を示す図である。広告制御サーバ１０１は、広告管理テーブル（記憶部）２２０１とユーザ適応評価プログラム群記憶部２２０２を有している。ユーザ適応評価プログラム群記憶部２２０２は、広告毎に、個人情報に基づいて当該広告に対するユーザの適応の程度を示すユーザ適応値を算出するユーザ適応評価プログラムを記憶している。なお、ここでは便宜的に、広告毎にユーザ適応評価プログラムを設けるようにしているが、広告のターゲットが同じような場合、１つのユーザ適応評価プログラムを複数の広告について共有するようにしてもよいし、１つのユーザ適応評価プログラムに対して所定のパラメータ（ターゲットを見分けるためのパラメータ）を入力することで、全ての広告について同一のユーザ適応評価プログラムを用いるようにしてもよい。
【００８９】
コピー機適応評価部１７０６により生成されるコピー機適応値テーブルについて説明する。図２３は、コピー機適応値テーブルの例を示す図である。コピー機適応値テーブル１７０７は、コピー機について各広告に対する適応値を記憶するためのテーブルである。そのため、コピー機適応値テーブル１７０７は、コピー機毎のテーブルからなり、コピー機ＩＤに対応付けて設けられる。テーブルは、広告毎にレコード２３５１〜２３５４を設け、広告ＩＤ２３０１と、コピー機適応値２３０２の項目を対応付けて記憶するように構成されている。コピー機適応値は、当該コピー機を使用するユーザ（使用者）の要求に応じて広告付き用紙にコピーした場合（印刷した場合の例）に、当該ユーザ（使用者）に対する広告の効果が期待できる程度である。広告の効果とは、広告主の取引機会の増加であることが多い。取引の機会は、普通広告主とユーザの取引である。但し、広告の効果は取引機会の増加に限らず、告知や謝罪など広告の目的によって効果は異なる。コピー機適応値は、印刷機適応値の例である。
【００９０】
図２４は、コピー機適応評価処理フローを示す図である。コピー機適応評価部１７０６は、広告毎に以下の処理を繰り返す（Ｓ２４０１）。このループにより、すべての広告についてコピー機適応値を求める。まず、コピー機適応評価部１７０６は、当該広告に対応するユーザ適応評価プログラムを特定する（Ｓ２４０２）。具体的には、広告管理テーブル（記憶部）２２０１（図５）から当該広告のＩＤに対応するユーザ適応評価プログラム名（図５の５０３）を読み取る。
【００９１】
そして、コピー機適応評価部１７０６は、認証情報テーブル７０４（図９）で当該コピー機のＩＤを使用コピー機ＩＤとするレコードを順に特定し、当該レコードのユーザＩＤ毎に以下の処理を繰り返す（Ｓ２４０３）。これにより、当該コピー機を使用するユーザすべてのユーザ適応値を求めて、その総数（合計値）を算出する。まず、コピー機適応評価部１７０６は、当該ユーザＩＤに対応する会員情報を会員情報管理テーブル７０２（図８）から読み出す（Ｓ２４０４）。次に、コピー機適応評価部１７０６は、会員情報を入力してユーザ適応評価プログラムを起動し、当該広告に対する当該ユーザの適応値を算出する。この例では、 １：「適合する」〜０：「適合しない」の値を得る（Ｓ２４０５）。そして、算出したユーザ適応値を、適応値総数パラメータ（初期値＝０）に加算する（Ｓ２４０６）。コピー機適応評価部１７０６は、すべてのユーザについて処理した時点で（Ｓ２４０７）、各ユーザ適応値の合計である適応地総数パラメータの値を、当該広告に対するコピー機の適応値とする（Ｓ２４０８）。このようにしてすべての広告についてコピー機適応値を算出した時点で終了する（Ｓ２４０９）。
【００９２】
次に、図１７の広告選択部１７０８による広告選択処理（図２１のＳ２１０３）について詳述する。図２５は、広告選択に係る構成を示す図である。広告制御サーバ１０１は、トレイ構成テーブル（記憶部）２５０１（図４）を有している。他にも前述の通り、コピー機管理テーブル７０３（図３）、広告管理テーブル（記憶部）２２０１（図５）、コピー機適応値テーブル（記憶部）１７０７（図２３）、用紙設定テーブル（記憶部）１７０３（図１９）を有している。広告選択部１７０８は、コピー機管理テーブル７０３で管理するコピー機毎に、各トレイについて用紙に付される広告をコピー機適応値と画像サイズ等に基づいて判定する。
【００９３】
図２６は、広告選択処理フローを示す図である。前処理として、トレイ構成テーブル（記憶部）２５０１（図４）から当該コピー機のＩＤに対応するトレイ数を読み、トレイ数を内部変数記憶部（図示せず）の未採用トレイ数パラメータに設定する（Ｓ２６０１）。
【００９４】
まず、Ｂ５サイズの最適な広告を採用する処理を行う（Ｓ２６０２〜Ｓ２６０５）。広告管理テーブル（記憶部）２２０１（図５）から画像サイズがＢ５のレコード（当該レコードの残枚数≧１場合に限る。）を特定し、当該レコードの広告ＩＤ群を得る（Ｓ２６０２）。例えば、図５の広告管理テーブルにおいて、画像サイズ５０４がＢ５である広告として、広告ＩＤ５０１が「ＣＭ００１」、「ＣＭ００３」、「ＣＭ００４」・・を特定し、これらの広告ＩＤ群を得る。続いて、広告選択部１７０８は、これらの広告群のコピー機適応値（図２３の２３０２）を比較し、最大のコピー機適応値を特定し（Ｓ２６０３）、コピー適応値が最大である当該広告を採用すると決定し、当該広告のＩＤを内部変数記憶部の採用広告ＩＤとして記憶する（Ｓ２６０４）。そして、未採用トレイ数パラメータから１を減ずる（Ｓ２６０５）。
【００９５】
次に、Ａ４サイズの最適な広告を採用する処理を行う（Ｓ２６０６〜Ｓ２６０９）。Ａ４サイズについても、Ｂ５サイズと同様に、広告管理テーブル（記憶部）２２０１（図５）から画像サイズがＡ４のレコード（当該レコードの残枚数≧１の場合に限る。）を特定し、当該レコードの広告ＩＤ群を得る（Ｓ２６０６）。続いて、これらの広告群のコピー機適応値を比較し、最大のコピー機適応値を特定し（Ｓ２６０７）、コピー適応値が最大である当該広告を採用すると決定し、当該広告のＩＤを内部変数記憶部の採用広告ＩＤとして追加して記憶する（Ｓ２６０８）。そして、未採用トレイ数パラメータから１を減ずる（Ｓ２６０９）。
【００９６】
次に、用紙サイズの如何に関わらずコピー機適応値が大きい順に残りの広告を選択する。広告管理テーブル（記憶部）２２０１から採用広告ＩＤ以外の広告ＩＤを有するレコード（レコードの残枚数≧１に限る。）を特定し、これらのレコードのうちコピー機適応値が大きい順に未採用トレイ数分のレコードを特定し、当該広告を採用すると決定し、当該広告のＩＤを内部変数記憶部の採用広告ＩＤとして追加して記憶する（Ｓ２６１０）。
【００９７】
最後に、用紙設定テーブル（記憶部）１７０３（図１９）にトレイ構成テーブル（記憶部）２５０１（図４）のトレイＩＤをすべてコピーする（Ｓ２６１１）。そして、採用した各広告のＩＤ（内部変数記憶部の採用広告ＩＤ群）を用紙設定テーブル（記憶部）１７０３に記憶させる（Ｓ２６１２）。また、各広告ＩＤに対応する画像サイズを広告管理テーブル（記憶部）２２０１から読み、用紙設定テーブル（記憶部）１７０３の用紙サイズ１９０３に記憶させる（Ｓ２６１３）。
【００９８】
この例では、Ｂ５サイズのうち最適な広告と、Ａ４サイズのうち最適な広告と、残りの広告のうちより好適な広告をサイズに依らず選択した。つまり、各サイズについて少なくとも１つのトレイを確保し、２つ以上のトレイについては広告の適応を重視するようにした。本発明は、同一用紙サイズの広告について、コピー機適応値に従ってより好適な広告を採用する点に特徴がある。従って、用紙サイズ毎の採用トレイは、この例に依らず他の方法で決定しても構わない。
【００９９】
次に、図１７の設置用紙枚数算出部１７０９による設置用紙枚数算出処理（図２１のＳ２１０４）について詳述する。図２７は、設置用紙枚数算出に係る構成を示す図である。図２７に示されるように、設置用紙枚数算出部１７０９は、用紙設定テーブル１７０３（図１９）、コピー機適応値テーブル１７０７（図２３）、広告管理テーブル２２０１（図５）、およびコピー機管理テーブル７０３（図３）を用いてコピー機のトレイに設置する用紙の枚数を算出する。
【０１００】
図２８は、設置用紙枚数算出処理フローを示す図である。設置用紙枚数算出部１７０９は、用紙設定テーブル（記憶部）１７０３の各トレイについて以下の処理を繰り返す（Ｓ２８０１）。これにより各トレイの用紙枚数を算出する。設置用紙枚数算出部１７０９は、用紙設定テーブル（記憶部）１７０３から当該トレイの広告ＩＤを読み、この広告ＩＤに対するコピー機適応値をコピー機適応値テーブル（記憶部）１７０７から取得し、このコピー機適応値に、所定の期待消費枚数を乗じて、設置用紙枚数を算出する（Ｓ２８０２）。
【０１０１】
そして、一の位を四捨五入する（Ｓ２８０３）。この処理は、１０枚単位に枚数を整えるための処理であって、１枚単位で扱う場合にはこの処理を省略してもよい。また、他の枚数の取り扱い単位に変換しても構わない。
【０１０２】
また、設置用紙枚数は、広告主から依頼されたオーダー枚数から消費枚数を差し引いた残枚数を超えないようにする。そのため、設置用紙枚数算出部１７０９は、広告管理テーブル（記憶部）２２０１から当該広告のＩＤに対応する残枚数を取得する（Ｓ２８０４）。そして、この残枚数と設置用紙枚数を比較する（Ｓ２８０５）。ここで、設置用紙枚数が残枚数を超える場合には、設置用紙枚数を残枚数に改める（Ｓ２８０６）。設置用枚数が残枚数を超えない場合には、設置用紙枚数を変更せず（Ｓ２８０６をスキップ）、残枚数を超える場合には、Ｓ２８０６で設置用紙枚数を残枚数に改めて（Ｓ２８０６）、当該トレイの設置用紙枚数１９０４に記憶させる（Ｓ２８０７）。また、広告管理テーブル（記憶部）２２０１（図５）から残枚数５０６を読み出し、この残枚数から設置用紙枚数を減じて得た差を、残枚数５０６に書き戻す（Ｓ２８０８）。すべてのトレイについて処理した時点で当該コピー機についての処理を終了する（Ｓ２８０９）。
【０１０３】
図２１に戻って、そして、すべてのコピー機についてＳ２１０１〜Ｓ２１０４の処理した時点で（Ｓ２１０５）、図１８の用紙設定処理（Ｓ１８０１）を完了する。
【０１０４】
続いて、図１７のトレイ優先順位判定部１７０４によるトレイ優先順位判定処理（Ｓ１８０２）について詳述する。図２９は、トレイ優先順位判定に係る構成を示す図である。トレイ優先順位判定部１７０４は、コピー機管理テーブル（記憶部）７０３で管理するコピー機毎に、トレイ優先順位を判定する。そのときトレイ優先順位判定部１７０４は、用紙設定テーブル（記憶部）１７０３から各トレイに設定されている広告と用紙サイズを取得し、用紙サイズ毎に、認証情報テーブル（記憶部）７０４で当該コピー機に対応するユーザを特定して、そのユーザの会員情報を会員情報管理テーブル（記憶部）７０２から取得して、当該用紙サイズの各トレイに対応する広告に対応するユーザ適応評価プログラムに会員情報を入力してトレイ毎のユーザ適応値を算出し、そのユーザ適応値に基づいてトレイを優先順位付けてトレイ優先順位テーブル（記憶部）１７０５に書き込む。
【０１０５】
図３０は、トレイ優先順位判定処理フローを示す図である。コピー機毎に（Ｓ３００１）、コピー機別トレイ優先順位判定処理（Ｓ３００２）を繰り返し、すべてのコピー機について処理した時点で終了する（Ｓ３００３）。Ｓ３００２のコピー機別トレイ優先順位判定処理については、図３１を参照して説明する。
【０１０６】
図３１は、コピー機別トレイ優先順位判定処理フローを示す図である。トレイ優先順位判定部１７０４は、用紙サイズ（例えば、Ｂ５、Ａ４）毎に以下の処理を繰り返す（Ｓ３１０１）。この処理により、図２０に示したようにコピー機と用紙サイズに対するトレイ優先順位テーブルが作られる。まず、当該用紙サイズのトレイ数をカウントする（Ｓ３１０２）。具体的には、用紙設定テーブル１７０３（図１９）の当該用紙サイズ１９０３を有するレコードを計数する。トレイ数が１以下の場合には（Ｓ３１０３）、当該用紙サイズについての処理を終了する。これは、優先順位を付ける必要がないからである。例えば、図１９の用紙設定テーブル１７０３の場合、Ａ４についてはトレイ数が１なのでトレイ優先順位テーブルを生成しない。トレイ数が２以上の場合には（Ｓ３１０３）、認証情報テーブル７０４（図９）で当該コピー機ＩＤを使用コピー機ＩＤ９０３として有するレコードを特定し、当該レコードのユーザＩＤ９０１毎に以下の処理を繰り返す（Ｓ３１０４）。例えば、図１９の用紙設定テーブル１７０３の場合、Ｂ５についてはトレイ数が３なのでトレイ優先順位テーブルを生成する。図９の認証情報テーブル７０４の使用コピー機ＩＤ９０３がＣＰ００１であるユーザＩＤ９０１毎の処理を行なう。以下のＳ３１０４〜Ｓ３１１１の処理は、ユーザに適応するトレイを選択するための処理である。ここで、当該ユーザに対する各トレイの広告が適応しているか否かをトレイ毎に判断するために、用紙設定テーブル（記憶部）１７０３のレコード（コピー機のトレイ）毎に以下の処理を繰り返す（Ｓ３１０５）。これにより各トレイに対するユーザ適応値を求める。まず、トレイ優先順位判定部１７０４は、当該トレイの広告ＩＤ１９０２に対応するユーザ適応評価プログラム名を、広告管理テーブル（記憶部）２２０１（図５）から読み取る（Ｓ３１０６）。次に、トレイ優先順位判定部１７０４は、当該ユーザＩＤに対応する会員情報（個人情報の例）を会員情報管理テーブル７０２（図８）から読み取る（Ｓ３１０７）。そして、トレイ優先順位判定部１７０４は、読み取った会員情報を入力してユーザ適応評価プログラムを起動し、当該広告に対する当該ユーザの適応値を算出する（Ｓ３１０８）。この処理を、すべてのトレイについて処理し（Ｓ３１０９）、ユーザＩＤに対応付けて、適応値の大きい順に優先順位を付けてトレイＩＤを記憶する（Ｓ３１１０）。すべてのユーザＩＤについて処理した時点で（Ｓ３１１１）、当該用紙サイズについての処理を終了する。そして、すべての用紙サイズについて処理して終える（Ｓ３１１２）。
【０１０７】
これで、図２に示したコピー機設定準備処理２０４が完了する。
【０１０８】
続いて、図２に示したコピー機設定情報配信処理２０５とコピー機設定情報受付処理２０６について詳述する。図３２は、用紙設置指示書の例を示す図である。用紙設置指示書は、用紙設置を指示する文（例えば、「各トレイに、広告付き用紙を設置してください。」）が先頭に配置され、更にトレイ毎に、トレイＩＤ、用紙イメージ、広告名、用紙サイズ、及び設置用紙枚数が示されている。これによれば、コピー機の各トレイに、どの用紙を設置すればよいか否かを判断することが可能である。
【０１０９】
図３３は、広告制御サーバのうちコピー機設定情報配信に係る構成を示す図である。広告制御サーバ１０１は、用紙設置指示書生成部３３０１、コピー機設定情報配信開始通知部３３０２、広告画像ファイル記憶部３３０３、用紙設置指示書送信部３３０４、及びトレイ優先順位テーブル送信部３３０５を有している。用紙設置指示書生成部３３０１は、用紙設定テーブル（記憶部）１７０３に基づいて用紙設置指示書を生成する。その際、広告管理テーブル（記憶部）２２０１から広告画像ファイル名を取得して、広告画像ファイルを読み出して用紙設置指示書に広告のイメージを貼り付ける。コピー機設定情報配信開始通知部３３０２は、コピー機に対して配信開始の通知を送信し、返信される応答通知を待って送信先を確認する。用紙設置指示書送信部３３０４は、用紙設置指示書生成部３３０１で生成した用紙設置指示書をコピー機に送信する。トレイ優先順位テーブル送信部３３０５は、トレイ優先順位テーブル（記憶部）１７０５に記憶しているトレイ優先順位テーブルをコピー機に送信する。
【０１１０】
図３４は、コピー機設定情報配信処理フローを示す図である。コピー機管理テーブル７０３（記憶部）で管理しているコピー機毎に以下の処理を繰り返す（Ｓ３４０１）。これにより広告制御サーバ１０１で対象としているすべてのコピー機１０２に対してコピー機設定情報を配信する。用紙設置指示書生成部３３０１による用紙設置指示書生成処理（Ｓ３４０２）では、画像メモリ上に用紙設置指示書のイメージを生成する。ここで、この処理の詳細を、図３５を用いて説明する。
【０１１１】
図３５は、用紙設置指示書生成処理フローを示す図である。用紙設置指示書生成部３３０１は、用紙設置を指示する文を画像メモリにレイアウト（配置）し（Ｓ３５０１）、更にトレイＩＤ、用紙イメージ、広告名、用紙サイズの項目名を画像メモリにレイアウトする（Ｓ３５０２）。そして、トレイ毎に以下の処理を繰り返す（Ｓ３５０３）。まず、用紙設置指示書生成部３３０１は、トレイＩＤを画像メモリにレイアウトする（Ｓ３５０４）。次に、用紙設置指示書生成部３３０１は、当該トレイの広告ＩＤに対応する広告画像ファイルを特定し（Ｓ３５０５）、広告画像ファイルを展開した画像を所定倍率で縮小し、画像メモリにレイアウトする（Ｓ３５０６）。更に、用紙設置指示書生成部３３０１は、当該トレイの広告名を画像メモリにレイアウトし（Ｓ３５０７）、当該トレイの用紙サイズを画像メモリにレイアウトし（Ｓ３５０８）、当該トレイの設置用紙枚数を画像メモリにレイアウトする（Ｓ３５０９）。そして、すべてのトレイについて処理した時点で終了する（Ｓ３５１０）。
【０１１２】
この例では、用紙設置指示書のデータをイメージ形式で生成したが、ＨＴＭＬ文書やワープロ文書等の文書データの形式や表データの形式で生成しても構わない。
【０１１３】
次に、処理は図３４に戻って、コピー機設定情報配信開始通知部３３０２によるコピー機設定情報配信開始通知処理（Ｓ３４０３）では、当該コピー機１０２に対して配信開始の通知を送信し、コピー機１０２から返信される応答通知を受信するまで待つ。これにより、広告制御サーバ１０１とコピー機１０２の接続が確認される。
【０１１４】
用紙設置指示書送信部３３０４による用紙設置指示書送信処理（Ｓ３４０４）では、当該コピー機１０２に対してＳ３４０２で生成した用紙設置指示書のイメージを送信する。
【０１１５】
トレイ優先順位テーブル送信部３３０５によるトレイ優先順位テーブル送信処理（Ｓ３４０５）では、当該コピー機１０２に対して当該コピー機に対応付けられているトレイ優先順位テーブルを送信する。その際、用紙サイズに関わらず、すべてのテーブルを送信する。そして、すべてのコピー機について処理時点で終了する（Ｓ３４０６）。
【０１１６】
次に、図３４の広告制御サーバ１０１の処理に対するコピー機１０２側の動作について説明する。図３６は、コピー機のうちコピー機設定情報受付に係る構成を示す図である。コピー機１０２は、コピー機設定情報配信開始応答部３６０１、用紙設置指示書受信部３６０２、用紙設置指示書記憶部３６０３、トレイ優先順位テーブル受信部３６０４、トレイ優先順位テーブル（記憶部）３６０５、及び用紙設置指示書印刷部３６０６を有している。コピー機設定情報配信開始応答部３６０１は、広告制御サーバ１０１から配信開始通知を受信すると、応答通知を返信する。用紙設置指示書受信部３６０２は、用紙設置指示書を受信し、それを用紙設置指示書記憶部３６０３に記憶させる。トレイ優先順位テーブル受信部３６０４は、トレイ優先順位テーブルを受信し、それをトレイ優先順位テーブル（記憶部）３６０５に記憶させる。用紙設置指示書印刷部３６０６は、用紙設置指示書記憶部３６０３に記憶している用紙設置指示書を印刷するように構成されている。
【０１１７】
図３７は、コピー機設定情報受付処理フローを示す図である。コピー機設定情報配信開始応答部３６０１によるコピー機設定情報配信開始応答処理（Ｓ３７０１）では、広告制御サーバ１０１より配信開始通知（図３４のＳ３４０３で送信された配信開始通知）を受信し、応答通知を広告制御サーバ１０１に返信する。用紙設置指示書受信部３６０２による用紙設置指示書受信処理（Ｓ３７０２）では、広告制御サーバ１０１から用紙設置指示書（図３４のＳ３４０４で送信された用紙設置指示書）のイメージを受信し、用紙設置指示書記憶処理（Ｓ３７０３）で用紙設置指示書記憶部３６０３に記憶する。また、トレイ優先順位テーブル受信部３６０４によるトレイ優先順位テーブル受信処理（Ｓ３７０４）では、広告制御サーバ１０１からトレイ優先順位テーブル（図３４のＳ３４０５で送信されたトレイ優先順位テーブル）を受信し、トレイ優先順位テーブル記憶処理（Ｓ３７０５）でトレイ優先順位テーブル（記憶部）３６０５に記憶させる。最後に、用紙設置指示書印刷部３６０６による用紙設置指示書印刷処理（Ｓ３７０６）で、用紙設置指示書記憶部３６０３に記憶している用紙設置指示書のイメージを印刷する。なお、用紙設置指示書の出力は、用紙設置指示書のイメージを表示するなど他の出力形態であってもかまわない。つまり、用紙設置指示書印刷部と用紙設置指示書印刷処理は、用紙設置指示書出力部と用紙設置指示書出力処理の例である。
【０１１８】
コピー機の運用者は、用紙設置指示書（図３２）を見て、各トレイの用紙サイズ設定を変更し、各トレイに指示された用紙を指示された枚数分設置する。用紙サイズ設定の変更は、例えばトレイ内の仕切り板の移動と、用紙サイズ検知部位の変更などの操作により行なわれる。
【０１１９】
続いて、図２に示した複写動作制御処理２０７について詳述する。図３８は、コピー機のうち複写動作制御に係る構成を示す図である。コピー機１０２は、ユーザ認証部３８０１、コピー条件受付部３８０２、コピー条件記憶部３８０３、スキャン指示部３８０４、スキャン機構制御部３８０５、画像メモリ３８０６、給紙トレイ判定部３８０７、給紙トレイ検知部３８０８、プリント指示部３８０９、及びプリント機構制御部３８１０を有している。ユーザ認証部３８０１は、コピー機別認証情報テーブル（記憶部）１５０３を用いてユーザ認証を行なう。コピー条件受付部３８０２は、受け付けたコピー条件をコピー条件記憶部３８０３に記憶させる。スキャン指示部３８０４は、スキャン機構制御部３８０５にスキャンコマンドを発行する。スキャン機構制御部３８０５は、読み取った画像イメージを画像メモリ３８０６に格納する。スキャン指示部３８０４は、読取画像サイズを取得し、コピー条件記憶部３８０３で記憶しているコピー条件である倍率方式と用紙サイズに従って、倍率と印刷サイズを決定する。給紙トレイ判定部３８０７は、給紙トレイ判定部３８０７から各トレイの用紙サイズと用紙の有無を取得し、トレイ優先順位テーブル（記憶部）３６０６を参照しつつ給紙するトレイを判定する。プリント指示部３８０９は、倍率と給紙トレイＩＤを指定してプリント機構制御部３８１０にプリントコマンドを発行する。プリント機構制御部３８１０は、指定された給紙トレイから給紙し、画像メモリ３８０６上の画像イメージを印刷する。
【０１２０】
図３９は、コピー機による複写動作制御処理フローを示す図である。ユーザ認証部３８０１によるユーザ認証処理（Ｓ３９０１）では、コピー機を使用するユーザの認証を行う。認証が成功した場合のみ以下の処理を継続する。なお、ユーザ認証処理の詳細は、図４０を用いて詳述する。
【０１２１】
コピー条件受付部３８０２によるコピー条件受付処理（Ｓ３９０２）では、コピー機の操作部に対するユーザの操作により入力されるコピーの条件を受け付け、入力したコピーの条件をコピー条件記憶部３８０３に記憶させる。コピー条件受付処理の詳細は、図４１を用いて詳述する。
【０１２２】
スキャン指示部３８０４によるスキャン指示処理（Ｓ３９０３）では、スキャン機構制御部３８０５にスキャン動作を行わせる。スキャン指示処理の詳細は、図４２を用いて詳述する。
【０１２３】
給紙トレイ判定部３８０７による給紙トレイ判定処理（Ｓ３９０４）では、給紙するトレイを判定する。給紙トレイ判定処理の詳細は、図４３を用いて詳述する。
【０１２４】
プリント指示部３８０９によるプリント指示処理（Ｓ３９０５）では、プリント機構制御部３８１０にプリント動作を行わせる。プリント指示処理の詳細は、図４４を用いて詳述する。
【０１２５】
その後、コピー枚数判定部（図示せず）によりコピー枚数分プリントしたか判定し（Ｓ３９０６）、当該枚数に至るまでＳ３９０４とＳ３９０５の処理を繰り返す。
【０１２６】
当該枚数分のプリントが完了すると、原稿検知部（図示せず）で、ソータに原稿が有るかを判定し（Ｓ３９０７）、ある場合には複写すべき原稿が残っていると想定されるので、Ｓ３９０３からの処理を繰り返す。
【０１２７】
すべての原稿について処理すると、コピー継続受付部（図示せず）によるコピー継続受付処理（Ｓ３９０８）を行う。この処理では、続けて複写を行わせるか、つまりコピーを継続するかをユーザに問う画面を表示部に出力し、継続あるいは非継続の旨を操作部に対する操作により入力させる。継続が選択された場合には、Ｓ３９０２に移行し、複写動作を続行する。非継続が選択された場合には、当該ユーザによる複写動作を終了し、初期状態つまりＳ３９０１によるユーザ認証処理の前の状態に移行する。
【０１２８】
ここで、ユーザ認証部３８０１によるユーザ認証処理（図３９のＳ３９０１）について詳述する。図４０は、ユーザ認証処理フローを示す図である。まず、ユーザに認証コードの入力を促す認証コード受付画面を表示部に出力する（Ｓ４００１）。そして、ユーザによる操作部に対する操作により認証コードを入力し（Ｓ４００２）、入力した認証コードがコピー機別認証情報テーブル（記憶部）１５０３（図１１）のいずれかの認証コード１１０２と一致するかを判定する（Ｓ４００３）。いずれの認証コード１１０２とも一致しない場合には、認証失敗を示すエラー通知（Ｓ４００５）を表示部に出力し、初期状態に戻る。いずれかの認証コード１１０２と一致する場合には、一致した認証コード１１０２に対応するユーザＩＤ１１０１を特定する（Ｓ４００４）。
【０１２９】
ユーザ認証部は、コピー機を操作する者のユーザＩＤを他の方法で特定しても構わない。例えば、ユーザの操作により直接ユーザＩＤを入力する方法や、カードの磁気部やカードや携帯電話のＩＣ部から認証コードあるいはユーザＩＤを読み取る方法でもよい。
【０１３０】
次に、図３９のＳ３９０２で説明したコピー条件受付部３８０２によるコピー条件受付処理（Ｓ３９０２）について詳述する。図４１は、コピー条件受付処理フローを示す図である。まず、コピー条件受付部３８０２は、ユーザによる操作部への操作によって発生するイベントの取得を待つ（Ｓ４１０１）。取得したイベントがコピー枚数の入力である場合には（Ｓ４１０２）、入力したコピー枚数を図３８のコピー条件記憶部３８０３に記憶させる（Ｓ４１０３）。取得したイベントが倍率方式の選択である場合には（Ｓ４１０４）、選択された倍率方式（つまり、等倍あるいは用紙指定変倍の別）をコピー条件記憶部３８０３に記憶させる（Ｓ４１０５）。取得したイベントが用紙サイズの選択である場合には（Ｓ４１０６）、選択された用紙サイズをコピー条件記憶部３８０３に記憶させる（Ｓ４１０７）。取得したイベントがコピースタートの指示である場合には（Ｓ４１０８）、イベント取得待ちのルーチンを抜けて、処理を終了する。
【０１３１】
次に、図３９のＳ３９０３で説明したスキャン指示部３８０４によるスキャン指示処理（Ｓ３９０３）について詳述する。図４２は、スキャン指示処理フローを示す図である。まず、スキャン機構制御部３８０５に対してスキャンコマンドを発行する（Ｓ４２０１）。スキャン機構制御部３８０５は、スキャン機構（図示せず）を制御して画像を読み取るスキャン動作をさせる。これにより画像メモリに読み取った画像イメージを記憶させ、更に読み取った画像イメージの画像サイズを判断する。そして、スキャン機構制御部３８０５から読取画像サイズを取得する（Ｓ４２０２）。次に、コピー条件記憶部３８０３から倍率方式を取得し、倍率方式が等倍の場合には（Ｓ４２０３）、コピー条件記憶部３８０３から用紙サイズを読み、これを印刷サイズとする（Ｓ４２０４）。また、倍率を等倍とする（Ｓ４２０５）。倍率方式が用紙指定変倍の場合には（Ｓ４２０３）、コピー条件記憶部３８０３から用紙サイズを読み、これを印刷サイズとする（Ｓ４２０６）。また、用紙サイズと読取画像サイズから倍率を選択する（Ｓ４２０７）。例えば、複数の所定の倍率のうち、読取画像サイズを用紙サイズ内で最大に変換する倍率を選択する。
【０１３２】
スキャン機構は、コンタクトガラスから原稿の画像データを読み取り、画像メモリに記憶させるように動作する。また、ソータを装備している場合には、ソータにセットされている原稿の画像データを順次読み取り、画像メモリに記憶させるように動作する。
【０１３３】
次に、図３９のＳ３９０４で説明した給紙トレイ判定部３８０７による給紙トレイ判定処理（Ｓ３９０４）について詳述する。図４３は、給紙トレイ判定処理フローを示す図である。まず、給紙トレイ判定部３８０７は、給紙トレイ検知部３８０８からすべてのトレイＩＤに対応する用紙サイズと用紙の有無を取得する（Ｓ４３０１）。給紙トレイ検知部３８０８は、トレイ毎に、収納されている用紙のサイズと用紙の有無を検知することができるように構成されている。次に、スキャン指示部３８０４で判定した印刷サイズと同じ用紙サイズのトレイを特定する（Ｓ４３０２）。特定したトレイ数が１つの場合には（Ｓ４３０３）、当該トレイのＩＤを給紙トレイＩＤとする（Ｓ４３０８）。特定したトレイ数が２つ以上の場合には（Ｓ４３０３）、優先順位に従って給紙トレイを特定する。その為に、印刷サイズと同じ用紙サイズに対応するトレイ優先順位テーブルを特定し（Ｓ４３０４）、更に当該トレイ優先テーブルで当該ユーザＩＤに対応する優先順位付けられたトレイＩＤ群を特定する（Ｓ４３０５）。そして、優先順位が高いトレイから順に（Ｓ４３０６）、当該用紙の有無を確認し（Ｓ４３０７）、用紙が有る場合には、当該トレイのＩＤを給紙トレイＩＤとする（Ｓ４３０８）。用紙が無い場合には、次に優先順位が高いトレイについて同様の処理を行う。
【０１３４】
次に、図３９のＳ３９０５で説明したプリント指示部３８０９によるプリント指示処理（Ｓ３９０５）について詳述する。図４４は、プリント指示処理フローを示す図である。まず、プリント指示部３８０９は、倍率と給紙トレイＩＤを指定して、ユーザ認証部３８０１に対してプリントコマンドを発行する（Ｓ４４０１）。これにより、プリント機構制御部３８１０はプリント機構（図示せず）を制御して画像イメージをプリントする動作をさせる。プリント機構は、指定されたＩＤの給紙トレイから給紙し、給紙された用紙に画像メモリの画像イメージを指定された倍率で拡大あるいは縮小して印刷して、印刷された用紙を排紙する。
【０１３５】
印刷する画像データは、コピー機のコンタクトガラスあるいはソータに設置された原稿から読み取った画像イメージに限らず、記憶媒体から読み取った画像イメージ（例えば、圧縮されている電子写真データを伸張して得る写真イメージ、ワープロや図形作成や表作成のアプリケーションプログラムで生成されたワープロデータや図形データや表データを展開した印字イメージ）や、通信媒体から読み取った画像イメージ（例えば、圧縮されているＦＡＸデータを伸張して得る印字イメージ）であってもよい。その場合、印刷機は、記憶媒体からデータを読み取り、当該データを画像イメージに変換し、画像メモリに記憶させる記憶媒体画像イメージ読取部、あるいは通信媒体からデータを受信し、当該データを画像イメージに変換し、画像メモリに記憶させる通信媒体画像データ読取部を有する。
【０１３６】
また、印刷機にカメラなどの撮像装置が接続されているシステムに応用する場合には、撮像装置で撮影した撮像イメージを画像イメージとして画像メモリに記憶させる形態となる。写真イメージを印刷する場合には、用紙サイズは、全紙、半切、４切、６切等となることがある。
【０１３７】
実施の形態２．
前述の実施の形態では、コピー機の運用者が用紙設定指示書に従ってトレイの用紙サイズ設定を変更することができることを前提とした。本実施の形態では、各トレイの用紙サイズ設定を変更することなく運用する形態について説明する。
【０１３８】
本実施の形態では、トレイ構成テーブルでトレイ毎に用紙サイズを記憶する。図４５は、実施の形態２に係るトレイ構成テーブルの例を示す図である。トレイ構成テーブルは、前述と同様にコピー機ＩＤに対応付けて設けられる。また、ヘッダにトレイ数４５０１の項目を有し、トレイ毎にレコード４５５１〜４５５４を有している。各レコードでは、トレイＩＤ４５０２と最大収納枚数４５０３に加えて、用紙サイズ４５０４の項目を対応付けて記憶するように構成されている。トレイ構成テーブルは、例えばコピー機１０２のトレイ構成テーブル送信部（図示せず）から送信され、広告制御サーバ１０２のトレイ構成テーブル受信部（図示せず）で受信され、トレイ構成テーブル（記憶部）として記憶される。
【０１３９】
本実施の形態では、図２１の広告選択処理（Ｓ２１０３）を図２６に代えて、図４６のように行う。図４６は、実施の形態２に係る広告選択処理フローを示す図である。この処理は、図２５の広告選択部１７０８によって実行される。広告選択部１７０８は、まず、用紙設定テーブル（記憶部）１７０３にトレイ構成テーブル（記憶部）２５０１のトレイＩＤと用紙サイズをコピーする（Ｓ４６０１）。そして、用紙サイズ（Ｂ５、Ａ４）毎に以下の処理を繰り返す（Ｓ４６０２）。トレイ構成テーブル（記憶部）２５０１で当該用紙サイズを有する数をカウントし、当該用紙サイズのトレイの数を得る。（Ｓ４６０３）。また、広告選択部１７０８は、広告管理テーブル（記憶部）２２０１で画像サイズが当該用紙サイズの広告群を特定し（Ｓ４６０４）、当該広告群のコピー機適応値を比較し、大きい順に前記トレイ数の広告を採用すると決定する（Ｓ４６０５）。そして、採用した各広告のＩＤを、当該用紙サイズのトレイに対応する広告ＩＤに記憶させる（Ｓ４６０６）。すべての用紙サイズについて処理した時点で終了する（Ｓ４６０７）。
【０１４０】
実施の形態３．
前述の実施の形態では、ユーザが使用するコピー機を登録し、そのコピー機でのみ本発明に係るコピーサービスを受けることができるようにした。本実施の形態では、使用するコピー機の所在地を含むエリアを登録し、ユーザは登録したエリア内のコピー機群でコピーサービスを受ける形態について説明する。
【０１４１】
図４７は、実施の形態３に係る使用者登録処理フローを示す図である。広告制御サーバ１０１の使用者登録処理では、図１０の使用コピー機選択画面の送信（Ｓ１００６）と使用コピー機の選択情報の受信（Ｓ１００７）に代えて、エリア選択画面の送信（Ｓ４７０１）とエリアの選択情報の受信（Ｓ４７０２）を行う。また、Ｓ１０１０の重複チェックに代えて、Ｓ４７０３の重複チェックを行なう。
【０１４２】
広告制御サーバ１０１は、更にエリア管理テーブルを有している。エリア管理テーブルは、エリア毎のエリア範囲を定めるテーブルである。図４８は、実施の形態３に係るエリア管理テーブルを示す図である。エリア毎にレコード４８５１〜４８５４を設け、設置エリアＩＤ４８０１とエリア範囲４８０２の項目を対応付けて記憶するように構成されている。エリア範囲４８０２は、住所で記述するほか、緯度経度で記述しても構わない。
【０１４３】
また図３のようにコピー機管理テーブル７０３では、コピー機毎に設置エリアＩＤ３０３を登録しているので、コピー機と設置エリアの対応が分かるようになっている。例えば、コピー機ＩＤがＣＰ００１のコピー機は、設置エリアＩＤがＡＲ０８のエリアに設置されていることが示されている。
【０１４４】
エリア選択画面は、エリア管理テーブルのエリア範囲を示し、当該ユーザ（会員）が使用するコピー機を含むエリアを選択するように促し、選択されたエリアを識別する情報を返信させるように構成されている。そして、返信されたエリアの選択情報を受信し（Ｓ４７０２）、選択されたエリアのＩＤ（設置エリアＩＤ）を特定する。例えば、エリア範囲のリストあるいはエリア範囲を配置した地図を送信し、エリアの配置位置を指示させることによりエリアを選択させ、選択されたエリアのＩＤを返信させる。
【０１４５】
Ｓ４７０３では、設置エリアと認証コードの組み合わせの重複チェックを行なう。Ｓ４７０２で特定した設置エリアＩＤと受信した認証コードの組み合わせが、認証情報テーブル７０４（図９）のいずれのレコードの設置エリアＩＤと認証コードの組み合わせとも一致しない場合に、重複しないと判定する。そして、認証情報テーブル７０４に新レコードを追加する（Ｓ１０１１）。つまり、当該ユーザのユーザＩＤと、受信した認証コードと、特定した設置エリアＩＤを対応付けて記憶する。尚、Ｓ４７０３でいずれかのレコードの組み合わせと一致する場合には重複すると判定し、Ｓ１００８の処理に戻る。ユーザ（会員）は、別な認証コードを再入力する。
【０１４６】
本実施の形態の認証情報テーブルでは、図９の使用コピー機ＩＤ９０３に代えて設置エリアＩＤを記憶している。図４９は、実施の形態３に係る認証情報テーブルを示す図である。ユーザ毎にレコード４９５１〜４９５４を設け、ユーザＩＤ４９０１と、認証コード４９０２と、設置エリアＩＤ４９０３の項目を対応付けて記憶するように構成されている。
【０１４７】
図５０は、実施の形態３に係るコピー機別認証情報テーブル生成処理フローを示す図である。図１４のＳ１４０２に代えて、コピー機管理テーブル（図３）から当該コピー機のＩＤ３０１に対応する設置エリアＩＤ３０３を特定し（Ｓ５００１）、レコードの設置エリアＩＤがコピー機の設置エリアＩＤと一致するかを判定する（Ｓ５００２）。その後の処理は図１４の処理と同様であるのでその説明は省略する。
【０１４８】
また、上述の認証情報テーブル（記憶部）７０４（図９）を用いて、使用コピー機ＩＤ９０３から当該コピー機を使用するユーザＩＤ９０１を特定する処理（例えば、コピー機適応評価処理（図２４）のＳ２４０３やコピー機別トレイ優先順位判定処理（図３１）のＳ３１０４）については、本実施の形態の認証情報テーブル（図４９）から直接的に使用コピー機ＩＤとユーザＩＤの関係を導くことができないので、図３のコピー機管理テーブル７０３を用いて間接的にその関係を導く。具体的には、まずコピー機管理テーブル７０３からユーザＩＤ３０１に対応する設置エリアＩＤ３０３を特定する。次に、認証情報テーブル７０４から当該設置エリアＩＤ１９０３に対応するユーザＩＤを特定する。例えば、図３からコピー機ＩＤがＣＰ００１のコピー機の設置エリアＩＤとしてＡＲ０８を読み出し、図４９でＡＲ０８に対応するユーザＩＤのＵＳ０００１〜ＵＳ０００４を読み出す。
【０１４９】
実施の形態４．
前述の実施の形態では、コピー機適応評価処理（図２４）のＳ２４０５と、コピー機別トレイ優先順位判定処理（図３１）のＳ３１０８で共通のユーザ適応評価プログラムを用いたが、ユーザ適応評価プログラムをそれぞれに設け、Ｓ２４０５ではコピー機適応評価用のユーザ適応評価プログラムを用い、Ｓ３１０８では、コピー機別トレイ優先順位判定用のユーザ適応評価プログラムを用いるようにしてもよい。
【０１５０】
実施の形態５．
前述の実施の形態では、コピー機適応評価部が、各ユーザ適応値の合計を算出し、算出した合計を当該広告に対する当該コピー機の適応値とする例を示したが、各ユーザ適応値に基づいて算出される他の算出値を当該コピー機の適応値としてもよい。
【０１５１】
本実施の形態に係るコピー機適応評価部は、各ユーザ適応値の平均値を算出し、算出した平均値を当該広告に対する当該コピー機の適応値とする。
【０１５２】
図５１は、実施の形態５に係るコピー機適応評価処理フローを示す図である。図２４のＳ２４０８に代えて、適応値総数パラメータの値を、前記コピー機のＩＤを使用コピー機ＩＤとするユーザ数で割って、算出した商を当該広告に対するコピー機の適応値とする（Ｓ５１０１）。
【０１５３】
実施の形態６．
本実施の形態に係るコピー機適応評価部は、所定の基準値（例えば、０．８）以上のユーザ適応値を示したユーザの数をカウントし、当該ユーザ数を当該広告に対する当該印刷機の適応値とする。
【０１５４】
図５２は、実施の形態６に係るコピー機適応評価処理フローを示す図である。Ｓ２４０５で算出した適応値が、基準値以上であるかを判定する（Ｓ５２０１）。そして、越えている場合には、１を基準超適応者総数パラメータ（初期値＝０）に加算する（Ｓ５２０２）。そして、すべてのユーザについて処理した時点で、基準超適応者総数パラメータの値を、当該広告に対するコピー機の適応値とする（Ｓ５２０３）。
【０１５５】
実施の形態７．
本実施の形態に係るコピー機適応評価部は、所定の基準値（例えば、０．８）以上のユーザ適応値の合計を算出し、算出した合計を当該広告に対する当該印刷機の適応値とする。
【０１５６】
図５３は、実施の形態７に係るコピー機適応評価処理フローを示す図である。図２４のＳ２４０５で算出した適応値が、基準値以上であるか判定する（Ｓ５３０１）。そして、越えている場合には、算出した適応値を基準超適応値総数パラメータ（初期値＝０）に加算する（Ｓ５３０２）。そして、すべてのユーザについて処理した時点で、基準超適応値総数パラメータの値を、当該広告に対するコピー機の適応値とする（Ｓ５３０３）。
【０１５７】
実施の形態８．
実施の形態８から実施の形態１１では、各広告に対応するユーザの適応値を、前述のユーザ適応評価プログラム以外の手段で算出する例について説明する。
【０１５８】
実施の形態１では、コピー機適応評価部（図２２の１７０６）によるコピー機適応評価処理（図２４）において、広告毎に設けたユーザ適応評価プログラムによりユーザ適応値を算出した（Ｓ２４０２、Ｓ２４０５）。本実施の形態では、広告毎に設けたユーザ適応評価式によりユーザ適応値を算出してコピー機適応評価処理を行なう例について説明する。
【０１５９】
図５４は、実施の形態８に係る広告管理テーブルの例を示す図である。本実施の形態に係る広告管理テーブルは、広告管理テーブル（図５）のユーザ適応評価プログラム名５０３に代えてユーザ適応評価式５４０１を有している。他の項目（５０１、５０２、及び５０４〜５０８）と広告毎にレコード５４５１〜５４５４を設けている点は、広告管理テーブル（図５）と同様である。
【０１６０】
ここでユーザ適応評価式５４０１について説明する。ユーザ適応評価式５４０１は、個人情報に対する評価条件に従ってユーザ適応値を導く論理式である。この例の式は、ユーザ適応値を評価する際の評価条件とその評価条件に対する評価値（その評価条件が真である場合のユーザ適応値と、偽である場合のユーザ適応値）を記述している。評価条件は、個人情報のいずれかの項目に対する条件であって、例えば、大小比較、以上以下比較、一致（完全一致、部分一致、前方一致、後方一致を含む。）、あるいは不一致などの比較条件により評価条件内の評価基準と比較して、真あるいは偽を判定する。
【０１６１】
レコード５４５４のユーザ適応評価式５４０１である「＝ＩＦ（性別＝"女"，１，０）」を例とすると、「性別＝"女"」が評価条件（「性別」が個人情報の項目、「"女"」が評価基準、比較条件は完全一致）であり、「１，０」は順にそれぞれ真の場合と偽の場合のユーザ適応値を示している。従って、ある個人情報の性別の項目（図８の８０４）が「女」である場合（つまり真の場合）に、ユーザ適応値を１とし、他方「女」ではない場合（つまり偽の場合）に、ユーザ適応値を０とすることを意味している。
【０１６２】
評価条件は、複数の条件をＡＮＤ条件あるいはＯＲ条件で連結することもできる。
【０１６３】
レコード５４５３のユーザ適応評価式５４０１である「＝ＩＦ（ＯＲ（住所＝"東京都＊"，住所＝"埼玉県＊"），０．６，０．４）」を例とすると、「ＯＲ（住所＝"東京都＊"，住所＝"埼玉県＊"）」が評価条件（「住所」が個人情報の項目、「"東京都"」と「"埼玉県"」が評価基準、比較条件はともに前方一致）であり、「０．６，０．４」は順にそれぞれ真の場合と偽の場合のユーザ適応値を示している。従って、ある個人情報の住所の項目（図８の８０６）が「東京都」と前方一致する場合あるいは「埼玉県」と前方一致する場合（つまり真の場合）に、ユーザ適応値を０．６とし、他方それ以外の場合（つまり偽の場合）に、ユーザ適応値を０．４とすることを意味している。
【０１６４】
レコード５４５２のユーザ適応評価式５４０１である「＝ＩＦ（ＡＮＤ（年齢＞＝２０，年齢＜＝２９），０．７，０．３）」を例とすると、「ＡＮＤ（年齢＞＝２０，年齢＜＝２９）」が評価条件（「年齢」が個人情報の項目、「２０」と「２９」が評価基準、比較条件は以上比較と以下比較）であり、「０．７，０．３」は順にそれぞれ真の場合と偽の場合のユーザ適応値を示している。従って、ある個人情報の年齢の項目（図８の８０５）が２０以上かつ２９以下の場合（つまり真の場合）に、ユーザ適応値を０．７とし、他方それ以外の場合（つまり偽の場合）に、ユーザ適応値を０．３とすることを意味している。
【０１６５】
条件を階層的に設けることもできる。レコード５４５１のユーザ適応評価式５４０１である「＝ＩＦ（職業＝"学生"，０．８，ＩＦ（職業＝"無職"，０．３，０．５））」では、偽の場合に、更に評価条件と課している。「職業＝"学生"」が上位の評価条件であり、「職業＝"無職"」が上位の評価条件の判定結果が偽の場合における下位の評価条件である。従って、ある個人情報の職業の項目（図８の８０７）が「学生」の場合（つまり上位の評価結果が真の場合）に、ユーザ適応値を０．８とし、他方それ以外の場合（つまり上位の評価結果が偽の場合）であって、職業の項目（図８の８０７）が「無職」の場合（つまり下位の評価結果が真の場合）には、ユーザ適応値を０．３とし、それ以外の場合（つまり上位の評価結果も、下位の評価結果も偽の場合）には、ユーザ適応値を０．５とすることを示している。
【０１６６】
図５５は、実施の形態８におけるコピー機適応評価に係る構成を示す図である。広告制御サーバ１０１は、図２２のユーザ適応評価プログラム群記憶部２２０２に代えて、ユーザ適応評価式演算部５５０１を有している。ユーザ適応評価式演算部５５０１は、上述のようにユーザ適応評価式内の個人情報の項目に対する評価条件の真偽を判定し、その真偽に従ってユーザ適正値を特定するように構成されている。
【０１６７】
コピー機適応評価部１７０６は、図２２で広告管理テーブル（記憶部）２２０１から得るユーザ適応評価プログラム名に代えてユーザ適応評価式（図５４）を取得する。更に、コピー機適応評価部１７０６は、ユーザ適応評価式演算部５５０１に会員情報とユーザ適応評価式を入力させ、算出したユーザ適応値を出力させる。
【０１６８】
図５６は、実施の形態８に係るコピー機適応評価処理フローを示す図である。Ｓ５６０１のステップでは、図２４のＳ２４０２に代えて、当該広告に対応するユーザ適応評価式（図５４）を特定する。またＳ５６０２のステップでは、図２４のＳ２４０５に代えて会員情報とユーザ適応評価式を入力させてユーザ適応評価式演算部５５０１を起動し、当該広告に対する当該ユーザの適応値を得る。他の処理は、図２４と同様である。
【０１６９】
他の処理は、実施の形態１と同様である。
【０１７０】
実施の形態９．
実施の形態１では、トレイ優先順位判定部（図２９の１７０４）によるトレイ優先順位判定処理（図３０）中のコピー機別トレイ優先順位判定処理（Ｓ３００２、図３１）において、広告毎に設けたユーザ適応評価プログラムによりユーザ適応値を算出した（Ｓ３１０６、Ｓ３１０８）。本実施の形態では、広告毎に設けたユーザ適応評価式（図５４）によりユーザ適応値を算出してコピー機別トレイ優先順位判定処理を行なう例について説明する。
【０１７１】
図５７は、実施の形態９におけるトレイ優先順位判定に係る構成を示す図である。トレイ優先順位判定部１７０４は、図２９で広告管理テーブル（記憶部）２２０１から得るユーザ適応評価プログラム名に代えてユーザ適応評価式（図５４）を取得する。更にトレイ優先順位判定部１７０４は、ユーザ適応評価式演算部５５０１に会員情報とユーザ適応評価式を入力させる。
【０１７２】
図５８は、実施の形態９に係るコピー機別トレイ優先順位判定処理フローを示す図である。Ｓ５８０１のステップでは、図３１のＳ３１０６に代えて、当該トレイの広告ＩＤに対応するユーザ適応評価式を特定する。Ｓ５８０２のステップでは、Ｓ３１０８に代えて、会員情報とユーザ適応評価式を入力させてユーザ適応評価式演算部を起動し、当該広告に対する当該ユーザの適応値を得る。他の処理は、図３１と同様である。
【０１７３】
他の処理は、実施の形態１と同様である。
【０１７４】
実施の形態１０．
実施の形態１では、コピー機適応評価部（図２２の１７０６）によるコピー機適応評価処理（図２４）において、広告毎に設けたユーザ適応評価プログラムによりユーザ適応値を算出した（Ｓ２４０２、Ｓ２４０５）。本実施の形態では、広告毎に設けたユーザ適応評価用学習データを用いた学習型人工知能の演算によりユーザ適応値を算出してコピー機適応評価処理を行なう例について説明する。
【０１７５】
図５９は、実施の形態１０に係る広告管理テーブルの例を示す図である。本実施の形態に係る広告管理テーブルは、広告管理テーブル（図５）のユーザ適応評価プログラム名５０３に代えてユーザ適応評価用学習データ名５９０１を有している。他の項目（５０１、５０２、及び５０４〜５０８）と広告毎にレコード５９５１〜５９５４を設けている点は、広告管理テーブル（図５）と同様である。
【０１７６】
図６０は、実施の形態１０におけるコピー機適応評価に係る構成を示す図である。広告制御サーバ１０１は、図２２のユーザ適応評価プログラム群記憶部２２０２に代えて、学習型人工知能演算部６００１とユーザ適応評価用学習データ群記憶部６００２を有している。学習型人工知能演算部６００１は、例えば会員情報の各項目を入力する入力ノードと、ユーザ適応値を出力する出力ノードと、その間を連結する中間ノードを設けた神経回路網で、教師データとして所定の会員情報を入力して所定のユーザ適応値を出力するように誤差逆伝播方で学習して得られた結合荷重データを用いて、会員情報を入力して神経回路網演算を行ない、演算結果としてユーザ適応値を出力するように構成されている。ユーザ適応評価用学習データ群記憶部６００２は、例えば結合荷重データなどのユーザ適応評価用学習データを複数記憶するように構成されている。つまり、ユーザ適応評価用学習データは、広告毎に、個人情報を入力データとし、その個人の理想とされるユーザ適応値を出力データとする教師データを用いて、学習型人工知能の学習処理により得た学習型人工知能の演算処理の為の学習データである。学習型人工知能演算部６００１は、ユーザ適応評価用学習データ群記憶部６００２のユーザ適応評価用学習データ群のうち、ユーザ適応評価用学習データ名で特定されるユーザ適応評価用学習データを用いて神経回路網演算などの学習型人工知能演算処理を行なう。
【０１７７】
図６１は、実施の形態１０に係るコピー機適応評価処理フローを示す図である。Ｓ６１０１のステップでは、図２４のＳ２４０２に代えて、当該広告に対応するユーザ適応評価用学習データを特定する。Ｓ６１０２のステップでは、Ｓ２４０５に代えて、会員情報を入力し、ユーザ適応評価用学習データを指定して学習型人工知能演算部を起動し、当該広告に対する当該ユーザの適応値を算出する。他の処理は、図２４と同様である。
【０１７８】
他の処理は、実施の形態１と同様である。
【０１７９】
実施の形態１１．
実施の形態１では、トレイ優先順位判定部（図２９の１７０４）によるトレイ優先順位判定処理（図３０）中のコピー機別トレイ優先順位判定処理（Ｓ３００２、図３１）において、広告毎に設けたユーザ適応評価プログラムによりユーザ適応値を算出した（Ｓ３１０６、Ｓ３１０８）。本実施の形態では、広告毎に設けたユーザ適応評価用学習データを用いた学習型人工知能の演算によりユーザ適応値を算出してコピー機別トレイ優先順位判定処理を行なう例について説明する。
【０１８０】
図６２は、実施の形態１１におけるトレイ優先順位判定に係る構成を示す図である。トレイ優先順位判定部１７０４は、図２９で広告管理テーブル（記憶部）２２０１から得るユーザ適応評価プログラム名に代えてユーザ適応評価用学習データ名を取得する。更にトレイ優先順位判定部１７０４は、学習型人工知能演算部６００１に会員情報とユーザ適応評価用学習データ名を入力させ、ユーザ適正値を算出させる。学習型人工知能演算部６００１は、ユーザ適応評価用学習データ名で特定されるユーザ適応評価用学習データを用いて図６０と同様の学習型人工知能演算を行なう。
【０１８１】
図６３は、実施の形態１１に係るコピー機別トレイ優先順位判定処理フローを示す図である。Ｓ６３０１のステップでは、図３１のＳ３１０６に代えて、当該トレイの広告ＩＤに対応するユーザ適応評価用学習データを特定する。またＳ６３０２のステップでは、Ｓ３１０８に代えて、会員情報を入力させユーザ適応評価用学習データを指定して学習型人工知能演算部６００１を起動し、当該広告に対する当該ユーザの適応値を得る。他の処理は、図３１と同様である。
【０１８２】
他の処理は、実施の形態１と同様である。
【０１８３】
実施の形態１２．
実施の形態１２から実施の形態１９では、ユーザ適応値（例えば、［１〜０］の多値）に代えて、適正と不適の別（２値相当）を用いる例について説明する。
【０１８４】
実施の形態１では、コピー機適応評価部（図２２の１７０６）によるコピー機適応評価処理（図２４）において、広告毎に設けたユーザ適応評価プログラムによりユーザ適応値を算出した（Ｓ２４０２、Ｓ２４０５）。本実施の形態では、広告毎に設けたユーザ適正判定プログラムにより適正と不適の別を判定してコピー機適応評価処理を行なう例について説明する。
【０１８５】
図６４は、実施の形態１２に係る広告管理テーブルの例を示す図である。本実施の形態に係る広告管理テーブルは、広告管理テーブル（図５）のユーザ適応評価プログラム名５０３に代えてユーザ適正判定プログラム名６４０１を有している。他の項目（５０１、５０２、及び５０４〜５０８）と広告毎にレコード６４５１〜６４５４を設けている点は、広告管理テーブル（図５）と同様である。
【０１８６】
図６５は、ユーザ適性判定プログラムの例を示す図である。ユーザ適正判定プログラム群記憶部６６０１は、個人情報の所定の項目に基づいて、判定結果として適正と不適の別を判定するように構成されている。まず、会員情報管理テーブル７０２（図８）の項目のうち、性別８０４を読み取り、男女の別により処理を分岐させる（Ｓ６５０１）。例えば、ユーザＩＤがＵＳ０００１の会員の場合には、男なのでＳ６５０２に移る。他方ユーザＩＤがＵＳ０００２の会員の場合には、女なのでＳ６５０５に移る。Ｓ６５０２に移った場合には、同様に会員情報管理テーブル７０２の項目のうち、年齢８０５を読み取り、基準値との比較を行なう。Ｓ６５０２では、年齢８０５が２２以上かつ２６以下の場合に、適正と判定して終了する（Ｓ６５０３）。それ以外の場合には（Ｓ６５０２）、不適と判定して終了する（Ｓ５６０４）。例えば、ユーザＩＤがＵＳ０００１の会員の場合には、年齢の項目が３４なので不適となる。Ｓ６５０５に移った場合にも、同様に会員情報管理テーブル７０２の項目のうち、年齢８０５を読み取り、基準値との比較を行なう。Ｓ６５０５では、年齢８０５が２０以上かつ２４以下の場合に、適正と判定して終了する（Ｓ６５０６）。それ以外の場合には（Ｓ６５０５）、不適と判定して終了する（Ｓ６５０７）。例えば、ユーザＩＤがＵＳ０００２の会員の場合には、年齢の項目が２８なので不適となる。
【０１８７】
図６６は、実施の形態１２におけるコピー機適応評価に係る構成を示す図である。広告制御サーバ１０１は、ユーザ適応評価プログラム群記憶部２２０２に代えて、ユーザ適正判定プログラム群記憶部６６０１を有している。コピー機適応評価部１７０６は、ユーザ適正判定プログラム群記憶部６６０１の判定結果である適正と不適の別を用いてコピー機適応値を算出する。
【０１８８】
コピー機適応評価部１７０６は、図２２で広告管理テーブル（記憶部）２２０１から得るユーザ適応評価プログラム名に代えてユーザ適正判定プログラム名を得る。更にユーザ適正判定プログラム群記憶部６６０１に記憶されているユーザ適正判定プログラムは、会員情報を入力し、判定した適正と不適の別を出力する。
【０１８９】
図６７は、実施の形態１２に係るコピー機適応評価処理フローを示す図である。Ｓ６７０１のステップでは、図２４のＳ２４０２に代えて、当該広告に対応するユーザ適正判定プログラムを特定する。Ｓ６７０２のステップでは、Ｓ２４０５に代えて、会員情報を入力させてユーザ適正判定プログラムを起動し、当該広告に対する当該ユーザの適正／不適を得る。Ｓ６７０３のステップでは、Ｓ２４０６に代えて、判定結果が適正の場合に、１を適正総数パラメータ（初期値＝０）に加算する。判定結果が不適の場合には、１を適正総数パラメータに加算しない。Ｓ６７０４のステップでは、Ｓ２４０８に代えて、適正総数パラメータの値を、当該広告に対するコピー機の適応値とする。他のステップの処理は、図２４と同様である。
【０１９０】
他の処理は、実施の形態１と同様である。
【０１９１】
実施の形態１３．
本実施の形態では、実施の形態１２のコピー機適応評価処理（図６７）で算出した適正総数をユーザ数で割って適正期待値を算出し、適正期待値をコピー機の適応値とする例について説明する。
【０１９２】
図６８は、実施の形態１３に係るコピー機適応評価処理フローを示す図である。Ｓ６８０１のステップでは、図６７のＳ６７０４に代えて、適正総数パラメータの値を、前記コピー機のＩＤを使用コピー機ＩＤとするユーザ数で割って、商を当該広告に対するコピー機の適応値とする。他の処理は、図６７と同様である。
【０１９３】
他の処理は、実施の形態１２と同様である。
【０１９４】
実施の形態１４．
前述の実施の形態では、トレイ優先順位テーブル（図２０）でユーザ毎にトレイを優先順位付ける例について説明した。本実施の形態、実施の形態１７、及び実施の形態１９では、順位を付けずに優先するトレイを選択的に定める優先トレイテーブル（図６９）を用いる例について説明する。
【０１９５】
実施の形態１では、トレイ優先順位判定部（図２９の１７０４）によるトレイ優先順位判定処理（図３０）中のコピー機別トレイ優先順位判定処理（Ｓ３００２、図３１）において、広告毎に設けたユーザ適応評価プログラムによりユーザ適応値を算出した（Ｓ３１０６、Ｓ３１０８）。本実施の形態では、トレイ優先順位判定部１７０４に代わる優先トレイ判定部７００１で、トレイ優先順位テーブル１７０５に代えて優先トレイテーブル７００２を生成する。その優先トレイ判定処理（後述する図７１のＳ７１０１）中のコピー機別優先トレイ判定処理（後述する図７３のＳ７３０２）で、広告毎に設けたユーザ適正判定プログラムで判定した適正と不適の別に基づいて優先トレイを選択する。
【０１９６】
図６９は、優先トレイテーブルの例を示す図である。優先トレイテーブル７００２は、コピー機ＩＤと用紙サイズに対応付けて設けられる。また、当該コピー機を使用するユーザ毎にレコード６９５１〜６９５４を設け、ユーザＩＤ６９０１と、優先トレイＩＤ６９０２の項目を対応付けて記憶するように構成されている。優先トレイＩＤ６９０２は、単数でも複数でも構わない。
【０１９７】
図７０は、実施の形態１４における広告制御サーバのうちコピー機設定準備に係る構成を示す図である。広告制御サーバ１０１は、図１７のトレイ優先順位判定部１７０４に代えて優先トレイ判定部７００１を有し、トレイ優先順位テーブル（記憶部）１７０５に代えて優先トレイテーブル（記憶部）７００２を有している。
【０１９８】
図７１は、実施の形態１４に係る広告制御サーバによるコピー機設定準備処理フローを示す図である。Ｓ７１０１のステップでは、図１８のＳ１８０２に代えて、優先トレイ判定処理を行なう。この処理については、図７３を用いて詳述する。Ｓ１８０１の処理は、図１８と同様である。
【０１９９】
図７２は、優先トレイ判定に係る構成を示す図である。広告制御サーバ１０１は、図２９のトレイ優先順位判定部１７０４に代えて優先トレイ判定部７００１を有し、ユーザ適応評価プログラム群記憶部２２０２に代えてユーザ適正判定プログラム群記憶部６６０１を有し、トレイ優先順位テーブル（記憶部）１７０５に代えて優先トレイテーブル（記憶部）７００２を有している。
【０２００】
優先トレイ判定部７００１は、図２９のユーザ適応評価プログラム名に代えて広告管理テーブル（記憶部）２２０１からユーザ適正判定プログラム名を入力する。更にユーザ適正判定プログラム群記憶部６６０１は、判定結果として適正と不適の別を出力する。
【０２０１】
図７３は、優先トレイ判定処理フローを示す図である。Ｓ７３０２のステップでは、図３０のＳ３００２に代えてコピー機別優先トレイ判定処理を行なう。Ｓ７３０１とＳ７３０３の処理は、図３０のＳ３００１とＳ３００３と同様である。
【０２０２】
図７４は、コピー機別優先トレイ判定処理フローを示す図である。Ｓ７４０６のステップでは、コピー機別トレイ優先順位判定処理（図３１）のＳ３１０６に代えて、当該トレイの広告ＩＤに対応するユーザ適正判定プログラムを特定する。Ｓ７４０８のステップでは、Ｓ３１０８に代えて、会員情報を入力してユーザ適正判定プログラムを起動し、当該広告に対する当該ユーザの適正／不適を得る。Ｓ７４１０のステップでは、Ｓ３１１０に代えて、ユーザＩＤに対応付けて、適正のトレイＩＤを記憶する。適正と判定されたトレイが複数ある場合は、それらのすべてのトレイＩＤを記憶する。Ｓ７４０１〜Ｓ７４０５、Ｓ７４０７、Ｓ７４０９、Ｓ７４１１、及びＳ７４１２のステップの処理は、コピー機別トレイ優先順位判定処理（図３１）のＳ３１０１〜Ｓ３１０５、Ｓ３１０７、Ｓ３１０９、Ｓ３１１１、及びＳ３１１２と同様である。
【０２０３】
図７５は、実施の形態１４における広告制御サーバのうちコピー機設定情報配信に係る構成を示す図である。図３３のトレイ優先順位テーブル（記憶部）１７０５に代えて、優先トレイテーブル（記憶部）７００２を有し、トレイ優先順位テーブル送信部３３０５に代えて優先トレイテーブル送信部７５０１を有している。優先トレイテーブル送信部７５０１は、優先トレイテーブルをコピー機１０２に送信するように構成されている。
【０２０４】
図７６は、実施の形態１４に係るコピー機設定情報配信フローを示す図である。Ｓ７６０１の優先トレイテーブル送信処理では、図３４のＳ３４０５に代えて、優先トレイテーブル送信部７５０１により優先トレイテーブルをコピー機１０２に送信する。他の処理は、図３４と同様である。
【０２０５】
図７７は、実施の形態１４におけるコピー機のうちコピー機設定情報受付に係る構成を示す図である。コピー機１０２は、図３６のトレイ優先順位テーブル受信部３６０４に代えて優先トレイテーブル受信部７７０１を有し、トレイ優先順位テーブル（記憶部）３６０５に代えて優先トレイテーブル（記憶部）７７０２を有している。優先トレイテーブル受信部７７０１は、広告制御サーバ１０１より優先トレイテーブルを受信し、優先トレイテーブル（記憶部）７７０２に記憶させるように構成されている。
【０２０６】
図７８は、実施の形態１４に係るコピー機設定情報受付処理フローを示す図である。優先トレイテーブル受信処理Ｓ７８０１では、図３７のＳ３７０４に代えて、優先トレイテーブル受信部７７０１により優先トレイテーブルを受信する。また、優先トレイテーブル記憶処理Ｓ７８０２では、図３７のＳ３７０５に代えて、優先トレイテーブル受信部７７０１によりトレイ優先順位テーブルを優先トレイテーブル（記憶部）７７０２に記憶させる。他の処理は、図３７と同様である。
【０２０７】
図７９は、実施の形態１４におけるコピー機のうち複写動作制御に係る構成を示す図である。給紙トレイ判定部３８０７は、図３８のトレイ優先順位テーブル（記憶部）３６０６に代えて優先トレイテーブル（記憶部）７７０２を用いて給紙トレイを判定する。
【０２０８】
コピー機による複写動作制御処理フローは、図３９と同様である。そのうち、給紙トレイ判定Ｓ３９０４の相違点について説明する。図８０は、実施の形態１４に係る給紙トレイ判定処理フローを示す図である。Ｓ４３０１〜Ｓ４３０３のステップの処理は、図４３と同様である。そして、印刷サイズと同じ用紙サイズのトレイが１つの場合には（Ｓ４３０３）、当該トレイのＩＤを給紙トレイＩＤとして終了する。他方、印刷サイズと同じ用紙サイズのトレイが２つ以上の場合には（Ｓ４３０３）、印刷サイズと同じ用紙サイズに対応する優先トレイテーブルを特定し（Ｓ８００１）、そのテーブルで当該ユーザＩＤに対応する優先トレイＩＤを取得する（Ｓ８００２）。Ｓ４３０１で取得した用紙の有無に基づいて優先トレイのいずれかに用紙が有るか判定し、いずれかの優先トレイに用紙が有る場合には（Ｓ８００３）、その用紙がある優先トレイのＩＤを給紙トレイとして終了する（Ｓ４３０８）。その優先トレイのいずれにも用紙が無い場合には（Ｓ８００３）、Ｓ４３０２で特定したトレイのうち優先トレイではないトレイを選択し、そのトレイのＩＤを給紙トレイＩＤとして終了する。
【０２０９】
これにより、優先トレイに用紙が有れば、優先トレイから用紙を給紙し、優先トレイに用紙が無ければ、優先トレイ以外のトレイから用紙を給紙するように動作することになる。
【０２１０】
他の処理は、実施の形態１と同様である。
【０２１１】
実施の形態１５．
実施の形態１２では、コピー機適応評価部（図６６の１７０６）によるコピー機適応評価処理（図６７）において、広告毎に設けたユーザ適正判定プログラムにより適正と不適の別を判定した（Ｓ６７０１、Ｓ６７０２）。本実施の形態では、広告毎に設けたユーザ適正条件式により適正と不適の別を判定してコピー機適応評価処理を行なう例について説明する。
【０２１２】
図８１は、実施の形態１５に係る広告管理テーブルの例を示す図である。本実施の形態に係る広告管理テーブルは、広告管理テーブル（図６４）のユーザ適正判定プログラム名６４０１に代えてユーザ適正条件式８１０１を有している。他の項目（５０１、５０２、及び５０４〜５０８）と広告毎にレコード８１５１〜８１５４を設けている点は、広告管理テーブル（図６４）と同様である。
【０２１３】
ここでユーザ適正条件式８１０１について説明する。ユーザ適正条件式８１０１は、個人情報に対する評価条件に従って当該広告に対するユーザの適正と不適の別を導く論理式である。この例の式は、ユーザ適応値を評価する際の評価条件とその評価条件が真である場合に適正とし、偽である場合に不適とする旨を記述している。評価条件は、個人情報のいずれかの項目に対する条件であって、例えば、大小比較、以上以下比較、一致（完全一致、部分一致、前方一致、後方一致を含む。）、あるいは不一致などの比較条件により評価条件内の評価基準と比較して、真あるいは偽を判定する。
【０２１４】
レコード８１５４のユーザ適正条件式８１０１である「＝ＩＦ（性別＝"女"，"適正"，"不適"）」を例とすると、「性別＝"女"」が評価条件（「性別」が個人情報の項目、「"女"」が評価基準、比較条件は完全一致）であり、「"適正"，"不適"」は順にそれぞれ真の場合と偽の場合に適正と不適とする旨を示している。従って、ある個人情報の性別の項目（図８の８０４）が「女」である場合（つまり真の場合）に、適正とし、他方「女」ではない場合（つまり偽の場合）に、不適とすることを意味している。
【０２１５】
評価条件は、複数の条件をＡＮＤ条件あるいはＯＲ条件で連結することもできる。
【０２１６】
レコード８１５３のユーザ適正条件式８１０１である「＝ＩＦ（ＯＲ（住所＝"東京都＊"，住所＝"埼玉県＊"），"適正"，"不適"）」を例とすると、「ＯＲ（住所＝"東京都＊"，住所＝"埼玉県＊"）」が評価条件（「住所」が個人情報の項目、「"東京都"」と「"埼玉県"」が評価基準、比較条件はともに前方一致）であり、「"適正"，"不適"」は順にそれぞれ真の場合と偽の場合に適正と不適とする旨を示している。従って、ある個人情報の住所の項目（図８の８０６）が「東京都」と前方一致する場合あるいは「埼玉県」と前方一致する場合（つまり真の場合）に、適正とし、他方それ以外の場合（つまり偽の場合）に、不適とすることを意味している。
【０２１７】
レコード８１５２のユーザ適正条件式８１０１である「＝ＩＦ（ＡＮＤ（年齢＞＝２０，年齢＜＝２９），"適正"，"不適"）」を例とすると、「ＡＮＤ（年齢＞＝２０，年齢＜＝２９）」が評価条件（「年齢」が個人情報の項目、「２０」と「２９」が評価基準、比較条件は以上比較と以下比較）であり、「"適正"，"不適"」は順にそれぞれ真の場合と偽の場合に適正と不適とする旨を示している。従って、ある個人情報の年齢の項目（図８の８０５）が２０以上かつ２９以下の場合（つまり真の場合）に、適正とし、他方それ以外の場合（つまり偽の場合）に、不適とすることを意味している。
【０２１８】
条件を階層的の設けることもできる。レコード８１５１のユーザ適正条件式８１０１である「=IF(職業="学生", "適正",IF(職業="無職" ,"不適","適正"))」では、偽の場合に、更に評価条件と課している。「職業＝"学生"」が上位の評価条件であり、「職業＝"無職"」が上位の評価条件の判定結果が偽の場合における下位の評価条件である。従って、ある個人情報の職業の項目（図８の８０７）が「学生」の場合（つまり上位の評価結果が真の場合）に、適正とし、他方それ以外の場合（つまり上位の評価結果が偽の場合）であって、職業の項目（図８の８０７）が「無職」の場合（つまり下位の評価結果が真の場合）には、不適とし、それ以外の場合（つまり上位の評価結果も、下位の評価結果も偽の場合）には、適正とすることを示している。
【０２１９】
図８２は、実施の形態１５におけるコピー機適応評価に係る構成を示す図である。広告制御サーバ１０１は、図６６のユーザ適正判定プログラム群記憶部６６０１に代えて、ユーザ適正条件式判定部８２０１を有している。ユーザ適正条件式判定部８２０１は、個人情報とユーザ適正条件式を入力し、個人情報がユーザ適正条件式の評価条件を満たすか判定し、満たす場合に適正と判定し、満たさない場合に不適と判定するように構成されている。
【０２２０】
コピー機適応評価部１７０６は、図６６で広告管理テーブル（記憶部）２２０１から得るユーザ適性判定プログラム名に代えてユーザ適正条件式を取得する。更にユーザ適正条件式判定部８２０１は、会員情報とユーザ適正条件式を入力し、判定結果として適正と不適の別を出力する。
【０２２１】
図８３は、実施の形態１５に係るコピー機適応評価処理フローを示す図である。Ｓ８３０１のステップでは、図６７のＳ６７０１に代えて、当該広告に対応するユーザ適正条件式を特定する。またＳ８３０２のステップでは、Ｓ６７０２に代えて、会員情報とユーザ適正条件式を入力してユーザ適正条件式判定部８２０１を起動し、当該広告に対する当該ユーザの適正／不適を得る。他のステップの処理は、Ｓ６７０３とＳ６７０４を含めて図６７と同様である。
【０２２２】
他の処理は、実施の形態１２と同様である。
【０２２３】
実施の形態１６．
本実施の形態では、実施の形態１５のコピー機適応評価処理（図８３）で算出した適正総数をユーザ数で割って適正期待値を算出し、適正期待値をコピー機の適応値とする例について説明する。
【０２２４】
図６８と同様に、コピー機適応評価処理（図８３）のＳ２４０７までの処理で算出した適正総数パラメータの値を、前記コピー機のＩＤを使用コピー機ＩＤとするユーザ数で割って、商を当該広告に対するコピー機の適応値とする。
【０２２５】
他の処理は、実施の形態１５と同様である。
【０２２６】
実施の形態１７．
実施の形態１４では、優先トレイ判定部（図７０の７００１）による優先トレイ判定処理（図７３）中のコピー機別優先トレイ判定処理（Ｓ７３０２、図７４）において、広告毎に設けたユーザ適正判定プログラムにより適正と不適の別を判定した（Ｓ７４０６、Ｓ７４０８）。本実施の形態では、広告毎に設けたユーザ適正条件式により適正と不適の別を判定してコピー機別優先トレイ判定処理を行なう例について説明する。
【０２２７】
図８４は、実施の形態１７における優先トレイ判定に係る構成を示す図である。広告制御サーバ１０１は、図７２と同様に優先トレイ判定部７００１と優先トレイテーブル（記憶部）７００２を有している。また、ユーザ適正判定プログラム群記憶部６６０１に代えて図８２と同様のユーザ適正条件式判定部８２０１を有している。
【０２２８】
図８５は、実施の形態１７に係るコピー機別優先トレイ判定処理フローを示す図である。Ｓ８５０１のステップでは、図７４のＳ７４０６に代えて、当該トレイの広告ＩＤに対応するユーザ適正条件式を取得する。またＳ８５０２のステップでは、Ｓ７４０８に代えて、会員情報とユーザ適正条件式を入力してユーザ適正条件式判定部を起動し、当該広告に対する当該ユーザの適正／不適を得る。他の処理は、図７４と同様である。
【０２２９】
他の処理は、実施の形態１４と同様である。
【０２３０】
実施の形態１８．
実施の形態１２では、コピー機適応評価部（図６６の１７０６）によるコピー機適応評価処理（図６７）において、広告毎に設けたユーザ適正判定プログラムにより適正と不適の別を判定した（Ｓ６７０１、Ｓ６７０２）。本実施の形態では、広告毎に設けたユーザ適応評価用学習データを用いた学習型人工知能の演算により適正と不適の別を判定してコピー機適応評価処理を行なう例について説明する。
【０２３１】
図８６は、実施の形態１８に係る広告管理テーブルの例を示す図である。本実施の形態に係る広告管理テーブルは、広告管理テーブル（図６４）のユーザ適正判定プログラム名６４０１に代えてユーザ適正判定用学習データ名８６０１を有している。他の項目（５０１、５０２、及び５０４〜５０８）と広告毎にレコード８６５１〜８６５４を設けている点は、広告管理テーブル（図６４）と同様である。
【０２３２】
図８７は、実施の形態１８におけるコピー機適応評価に係る構成を示す図である。広告制御サーバ１０１は、図６６のユーザ適正判定プログラム群記憶部６６０１に代えて、学習型人工知能演算部６００１とユーザ適正判定用学習データ群記憶部８７０１を有している。学習型人工知能演算部６００１は、例えば会員情報の各項目を入力する入力ノードと、適正と不適の別を出力する出力ノードと、その間を連結する中間ノードを設けた神経回路網で、教師データとして所定の会員情報を入力して所定の適正と不適の別を出力するように誤差逆伝播方で学習して得られた結合荷重データを用いて、会員情報を入力して神経回路網演算を行ない、演算結果として適正と不適の別を出力するように構成されている。ユーザ適正判定用学習データ群記憶部８７０１は、例えば結合荷重データなどのユーザ適応評価用学習データを複数記憶するように構成されている。つまり、ユーザ適正判定用学習データは、広告毎に、個人情報を入力データとし、その個人の理想とされる適正と不適の別を出力データとする教師データを用いて、学習型人工知能の学習処理により得た学習型人工知能の演算処理の為の学習データである。学習型人工知能演算部６００１は、ユーザ適正判定用学習データ群記憶部８７０１のユーザ適正判定用学習データ群のうち、ユーザ適正判定用学習データ名で特定されるユーザ適正判定用学習データを用いて神経回路網演算などの学習型人工知能演算を行なう。
【０２３３】
コピー機適応評価部１７０６は、図６６で広告管理テーブル（記憶部）２２０１から得たユーザ適性判定プログラム名に代えてユーザ適正判定用学習データ名を取得する。更に学習型人工知能演算部６００１はユーザ適正判定用学習データ名で特定されるユーザ適正判定用学習データをユーザ適正判定用学習データ群記憶部８７０１から読み出し、入力した会員情報に対する判定結果として適正と不適の別を出力する。
【０２３４】
図８８は、実施の形態１８に係るコピー機適応評価処理フローを示す図である。Ｓ８８０１のステップでは、図６７のＳ６７０１に代えて、当該広告に対応するユーザ適正判定用学習データを特定する。またＳ８８０２のステップでは、Ｓ６７０２に代えて、会員情報を入力し、ユーザ適正判定用学習データを指定して、学習型人工知能演算部を起動し、当該広告に対する当該ユーザの適正／不適を得る。他のステップの処理は、Ｓ６７０３とＳ６７０４を含めて図６７と同様である。
【０２３５】
実施の形態１３及び実施の形態１６と同様にコピー機適応評価処理（図８８）で算出した適正総数をユーザ数で割って適正期待値を算出し、適正期待値をコピー機の適応値としてもよい。他の処理は、実施の形態１２と同様である。
【０２３６】
実施の形態１９．
実施の形態１４では、優先トレイ判定部（図７０の７００１）による優先トレイ判定処理（図７３）中のコピー機別優先トレイ判定処理（Ｓ７３０２、図７４）において、広告毎に設けたユーザ適正判定プログラムにより適正と不適の別を判定した（Ｓ７４０６、Ｓ７４０８）。本実施の形態では、広告毎に設けたユーザ適応評価用学習データを用いた学習型人工知能の演算により適正と不適の別を判定してコピー機別優先トレイ判定処理を行なう例について説明する。
【０２３７】
図８９は、実施の形態１９における優先トレイ判定に係る構成を示す図である。広告制御サーバ１０１は、図７２と同様に優先トレイ判定部７００１と優先トレイテーブル（記憶部）７００２を有している。また、ユーザ適正判定プログラム群記憶部６６０１に代えて図８７と同様の学習型人工知能演算部６００１とユーザ適正判定用学習データ群記憶部８７０１を有している。
【０２３８】
図９０は、実施の形態１９に係るコピー機別優先トレイ判定処理フローを示す図である。Ｓ９００１のステップでは、図７４のＳ７４０６に代えて、当該トレイの広告ＩＤに対応するユーザ適正判定用学習データを特定する。またＳ９００２のステップでは、Ｓ７４０８に代えて、会員情報を入力しユーザ適正判定用学習データを指定して、学習型人工知能演算部を起動し、当該広告に対する当該ユーザの適正／不適を得る。他の処理は、図７４と同様である。
【０２３９】
他の処理は、実施の形態１４と同様である。
【０２４０】
広告制御サーバ１０１は、コンピュータであり、各要素はプログラムにより処理を実行することができる。また、プログラムを記憶媒体に記憶させ、記憶媒体からコンピュータに読み取られるようにすることができる。
【図面の簡単な説明】
【０２４１】
【図１】本発明に係るネットワーク環境を示す図である。
【図２】本発明に係る各処理の手順とデータフローの概要を示す図である。
【図３】コピー機管理テーブルの例を示す図である。
【図４】トレイ構成テーブルの例を示す図である。
【図５】広告管理テーブルの例を示す図である。
【図６】ユーザ適応評価プログラムの例を示す図である。
【図７】広告制御サーバのうち使用者登録に係る構成を示す図である。
【図８】会員情報管理テーブルを示す図である。
【図９】認証情報テーブルの例を示す図である。
【図１０】広告制御サーバによる使用者登録処理フローを示す図である。
【図１１】コピー機別認証情報テーブルの例を示す図である。
【図１２】広告制御サーバのうちコピー機別認証情報テーブル配信に係る構成を示す図である。
【図１３】広告制御サーバによるコピー機別認証情報テーブル配信処理フローを示す図である。
【図１４】コピー機別認証情報テーブル生成処理フローを示す図である。
【図１５】コピー機のうちコピー機別認証情報テーブル受付に係る構成を示す図である。
【図１６】コピー機によるコピー機別認証情報テーブル受付処理フローを示す図である。
【図１７】広告制御サーバのうちコピー機設定準備に係る構成を示す図である。
【図１８】広告制御サーバによるコピー機設定準備処理フローを示す図である。
【図１９】用紙設定テーブルの例を示す図である。
【図２０】トレイ優先順位テーブルの例を示す図である。
【図２１】用紙設定処理フローを示す図である。
【図２２】コピー機適応評価に係る構成を示す図である。
【図２３】コピー機適応値テーブルの例を示す図である。
【図２４】コピー機適応評価処理フローを示す図である。
【図２５】広告選択に係る構成を示す図である。
【図２６】広告選択処理フローを示す図である。
【図２７】設置用紙枚数算出に係る構成を示す図である。
【図２８】設置用紙枚数算出処理フローを示す図である。
【図２９】トレイ優先順位判定に係る構成を示す図である。
【図３０】トレイ優先順位判定処理フローを示す図である。
【図３１】コピー機別トレイ優先順位判定処理フローを示す図である。
【図３２】用紙設置指示書の例を示す図である。
【図３３】広告制御サーバのうちコピー機設定情報配信に係る構成を示す図である。
【図３４】コピー機設定情報配信処理フローを示す図である。
【図３５】用紙設置指示書生成処理フローを示す図である。
【図３６】コピー機のうちコピー機設定情報受付に係る構成を示す図である。
【図３７】コピー機設定情報受付処理フローを示す図である。
【図３８】コピー機のうち複写動作制御に係る構成を示す図である。
【図３９】コピー機による複写動作制御処理フローを示す図である。
【図４０】ユーザ認証処理フローを示す図である。
【図４１】コピー条件受付処理フローを示す図である。
【図４２】スキャン指示処理フローを示す図である。
【図４３】給紙トレイ判定処理フローを示す図である。
【図４４】プリント指示処理フローを示す図である。
【図４５】実施の形態２に係るトレイ構成テーブルの例を示す図である。
【図４６】実施の形態２に係る広告選択処理フローを示す図である。
【図４７】実施の形態３に係る使用者登録処理フローを示す図である。
【図４８】実施の形態３に係るエリア管理テーブルを示す図である。
【図４９】実施の形態３に係る認証情報テーブルを示す図である。
【図５０】実施の形態３に係るコピー機別認証情報テーブル生成処理フローを示す図である。
【図５１】実施の形態５に係るコピー機適応評価処理フローを示す図である。
【図５２】実施の形態６に係るコピー機適応評価処理フローを示す図である。
【図５３】実施の形態７に係るコピー機適応評価処理フローを示す図である。
【図５４】実施の形態８に係る広告管理テーブルの例を示す図である。
【図５５】実施の形態８におけるコピー機適応評価に係る構成を示す図である。
【図５６】実施の形態８に係るコピー機適応評価処理フローを示す図である。
【図５７】実施の形態９におけるトレイ優先順位判定に係る構成を示す図である。
【図５８】実施の形態９に係るコピー機別トレイ優先順位判定処理フローを示す図である。
【図５９】実施の形態１０に係る広告管理テーブルの例を示す図である。
【図６０】実施の形態１０におけるコピー機適応評価に係る構成を示す図である。
【図６１】実施の形態１０に係るコピー機適応評価処理フローを示す図である。
【図６２】実施の形態１１におけるトレイ優先順位判定に係る構成を示す図である。
【図６３】実施の形態１１に係るコピー機別トレイ優先順位判定処理フローを示す図である。
【図６４】実施の形態１２に係る広告管理テーブルの例を示す図である。
【図６５】ユーザ適性判定プログラムの例を示す図である。
【図６６】実施の形態１２におけるコピー機適応評価に係る構成を示す図である。
【図６７】実施の形態１２に係るコピー機適応評価処理フローを示す図である。
【図６８】実施の形態１３に係るコピー機適応評価処理フローを示す図である。
【図６９】優先トレイテーブルの例を示す図である。
【図７０】実施の形態１４における広告制御サーバのうちコピー機設定準備に係る構成を示す図である。
【図７１】実施の形態１４に係る広告制御サーバによるコピー機設定準備処理フローを示す図である。
【図７２】優先トレイ判定に係る構成を示す図である。
【図７３】優先トレイ判定処理フローを示す図である。
【図７４】コピー機別優先トレイ判定処理フローを示す図である。
【図７５】実施の形態１４における広告制御サーバのうちコピー機設定情報配信に係る構成を示す図である。
【図７６】実施の形態１４に係るコピー機設定情報配信フローを示す図である。
【図７７】実施の形態１４におけるコピー機のうちコピー機設定情報受付に係る構成を示す図である。
【図７８】実施の形態１４に係るコピー機設定情報受付処理フローを示す図である。
【図７９】実施の形態１４におけるコピー機のうち複写動作制御に係る構成を示す図である。
【図８０】実施の形態１４に係る給紙トレイ判定処理フローを示す図である。
【図８１】実施の形態１５に係る広告管理テーブルの例を示す図である。
【図８２】実施の形態１５におけるコピー機適応評価に係る構成を示す図である。
【図８３】実施の形態１５に係るコピー機適応評価処理フローを示す図である。
【図８４】実施の形態１７における優先トレイ判定に係る構成を示す図である。
【図８５】実施の形態１７に係るコピー機別優先トレイ判定処理フローを示す図である。
【図８６】実施の形態１８に係る広告管理テーブルの例を示す図である。
【図８７】実施の形態１８におけるコピー機適応評価に係る構成を示す図である。
【図８８】実施の形態１８に係るコピー機適応評価処理フローを示す図である。
【図８９】実施の形態１９における優先トレイ判定に係る構成を示す図である。
【図９０】実施の形態１９に係るコピー機別優先トレイ判定処理フローを示す図である。
【符号の説明】
【０２４２】
１０１  広告制御サーバ、１０２  コピー機、１０３  ユーザＰＣ、１０４  広告主ＰＣ、７０１  使用者登録部、７０２  会員情報管理テーブル、７０３  コピー機管理テーブル、７０４  認証情報テーブル、１２０１  コピー機別認証情報テーブル生成部、１２０２  コピー機別認証情報テーブル配信開始通知部、１２０３  コピー機別認証情報テーブル送信部１５０１、  コピー機別認証情報テーブル配信開始応答部、  １５０２コピー機別認証情報テーブル受信部、１５０３  コピー機別認証情報テーブル（記憶部）、１７０１  コピー機設定準備部、１７０２  用紙設定部、１７０３  用紙設定テーブル（記憶部）、１７０４  トレイ優先順位判定部、１７０５  トレイ優先順位テーブル（記憶部）、１７０６  コピー機適応評価部、１７０７  コピー機適応値テーブル（記憶部）、１７０８  広告選択部、１７０９  設置用紙枚数算出部、２２０１  広告管理テーブル（記憶部）、２２０２  ユーザ適応評価プログラム群記憶部、２５０１  トレイ構成テーブル（記憶部）、３３０１  用紙設置指示書生成部、３３０２  コピー機設定情報配信開始通知部、３３０３  広告画像ファイル記憶部、３３０４  用紙設置指示書送信部、３３０５  トレイ優先順位テーブル送信部、３６０１  コピー機設定情報配信開始応答部、３６０２  用紙設置指示書受信部、３６０３  用紙設置指示書記憶部、３６０４  トレイ優先順位テーブル受信部、３６０５  トレイ優先順位テーブル（記憶部）、３６０６  用紙設置指示書印刷部、３８０１  ユーザ認証部、３８０２  コピー条件受付部、３８０３  コピー条件記憶部、３８０４  スキャン指示部、３８０５  スキャン機構制御部、３８０６  画像メモリ、３８０７  給紙トレイ判定部、３８０８  給紙トレイ検知部、３８０９  プリント指示部、３８１０  プリント機構制御部  ５５０１  ユーザ適応評価式演算部、６００１  学習型人工知能演算部、６００２  ユーザ適応評価用学習データ群記憶部、６６０１  ユーザ適正判定プログラム群記憶部、７００１  優先トレイ判定部、７００２  優先トレイテーブル（記憶部）、７５０１  優先トレイテーブル送信部、７７０１  優先トレイテーブル受信部、７７０２  優先トレイテーブル（記憶部）、８２０１  ユーザ適正条件式判定部、８７０１  ユーザ適正判定用学習データ群記憶部。
【図１】
2008225923.tif 000003
【図２】
2008225923.tif 000004
【図３】
2008225923.tif 000005
【図４】
2008225923.tif 000006
【図５】
2008225923.tif 000007
【図６】
2008225923.tif 000008
【図７】
2008225923.tif 000009
【図８】
2008225923.tif 000010
【図９】
2008225923.tif 000011
【図１０】
2008225923.tif 000012
【図１１】
2008225923.tif 000013
【図１２】
2008225923.tif 000014
【図１３】
2008225923.tif 000015
【図１４】
2008225923.tif 000016
【図１５】
2008225923.tif 000017
【図１６】
2008225923.tif 000018
【図１７】
2008225923.tif 000019
【図１８】
2008225923.tif 000020
【図１９】
2008225923.tif 000021
【図２０】
2008225923.tif 000022
【図２１】
2008225923.tif 000023
【図２２】
2008225923.tif 000024
【図２３】
2008225923.tif 000025
【図２４】
2008225923.tif 000026
【図２５】
2008225923.tif 000027
【図２６】
2008225923.tif 000028
【図２７】
2008225923.tif 000029
【図２８】
2008225923.tif 000030
【図２９】
2008225923.tif 000031
【図３０】
2008225923.tif 000032
【図３１】
2008225923.tif 000033
【図３２】
2008225923.tif 000034
【図３３】
2008225923.tif 000035
【図３４】
2008225923.tif 000036
【図３５】
2008225923.tif 000037
【図３６】
2008225923.tif 000038
【図３７】
2008225923.tif 000039
【図３８】
2008225923.tif 000040
【図３９】
2008225923.tif 000041
【図４０】
2008225923.tif 000042
【図４１】
2008225923.tif 000043
【図４２】
2008225923.tif 000044
【図４３】
2008225923.tif 000045
【図４４】
2008225923.tif 000046
【図４５】
2008225923.tif 000047
【図４６】
2008225923.tif 000048
【図４７】
2008225923.tif 000049
【図４８】
2008225923.tif 000050
【図４９】
2008225923.tif 000051
【図５０】
2008225923.tif 000052
【図５１】
2008225923.tif 000053
【図５２】
2008225923.tif 000054
【図５３】
2008225923.tif 000055
【図５４】
2008225923.tif 000056
【図５５】
2008225923.tif 000057
【図５６】
2008225923.tif 000058
【図５７】
2008225923.tif 000059
【図５８】
2008225923.tif 000060
【図５９】
2008225923.tif 000061
【図６０】
2008225923.tif 000062
【図６１】
2008225923.tif 000063
【図６２】
2008225923.tif 000064
【図６３】
2008225923.tif 000065
【図６４】
2008225923.tif 000066
【図６５】
2008225923.tif 000067
【図６６】
2008225923.tif 000068
【図６７】
2008225923.tif 000069
【図６８】
2008225923.tif 000070
【図６９】
2008225923.tif 000071
【図７０】
2008225923.tif 000072
【図７１】
2008225923.tif 000073
【図７２】
2008225923.tif 000074
【図７３】
2008225923.tif 000075
【図７４】
2008225923.tif 000076
【図７５】
2008225923.tif 000077
【図７６】
2008225923.tif 000078
【図７７】
2008225923.tif 000079
【図７８】
2008225923.tif 000080
【図７９】
2008225923.tif 000081
【図８０】
2008225923.tif 000082
【図８１】
2008225923.tif 000083
【図８２】
2008225923.tif 000084
【図８３】
2008225923.tif 000085
【図８４】
2008225923.tif 000086
【図８５】
2008225923.tif 000087
【図８６】
2008225923.tif 000088
【図８７】
2008225923.tif 000089
【図８８】
2008225923.tif 000090
【図８９】
2008225923.tif 000091
【図９０】
2008225923.tif 000092